(57)【要約】【課題】携帯性に優れる水素ガス吸引装置を提供することを目的とする。【解決手段】水素ガス発生材５２と反応液５４とを分離収納するカートリッジ５０を内部に充填可能に保持する水素ガス吸引具本体１０を備えてなり、カートリッジ５０は、上部に反応液５４が収納された反応液収納部５３と、下部に水素ガス発生材５２が収納された水素ガス発生材収納部５１と、水素ガス発生材収納部５１と反応液収納部５３との間に設けられた隔壁５５と、から構成され、水素ガス吸引具本体１０には、カートリッジ５０の充填用差し孔３３ａが設けられるとともに、充填用差し孔３３ａ内にはカートリッジ５０を充填用差し孔３３ａに案内するガイドピン３５が設けられ、ガイドピン３５は、カートリッジ５０を充填用差し孔３３ａに差し込み、ガイドピン３５に沿って最後まで押し込んだ際に、ガイドピン３５の先端部３５ａが隔壁５５に達し、隔壁５５を貫通する長さに設定されている。【選択図】図１
2019042498.tif 000002
【特許請求の範囲】
【請求項１】
水素ガス発生材と反応液とを分離収納するカートリッジを内部に充填可能に保持する水素ガス吸引具本体を備えてなり、
前記カートリッジは、上部に前記反応液が収納された反応液収納部と、下部に前記水素ガス発生材が収納された水素ガス発生材収納部と、前記水素ガス発生材収納部と前記反応液収納部との間に設けられた隔壁と、から構成され、
前記水素ガス吸引具本体には、前記カートリッジの充填用差し孔が設けられるとともに、前記充填用差し孔内に、前記カートリッジを前記充填用差し孔に案内するガイドピンが設けられ、
前記ガイドピンは、前記カートリッジを前記充填用差し孔に差し込み、前記ガイドピンに沿って最後まで押し込んだ際に、前記ガイドピンの先端部が前記隔壁に達し、前記隔壁を貫通する長さに設定されていることを特徴とする水素ガス吸引装置。
【請求項２】
水素ガス発生材と反応液とを分離収納するカートリッジを内部に充填可能に保持する水素ガス吸引具本体と、前記水素ガス吸引具本体に着脱可能に取り付けられる吸い口部本体と、を備える水素ガス吸引装置であって、
前記水素ガス吸引具本体は、前記カートリッジを抜き差し自在に保持するカートリッジ保持部と、前記カートリッジ保持部に着脱自在に設けられ天板に空気流入孔を有する筒状蓋体部と、から構成され、
前記カートリッジ保持部は、前記カートリッジの充填用差し孔を有する内部ケース及び前記充填用差し孔とは反対の位置に設けられて、前記吸い口部本体を取り付ける取付部を有する外部ケースの２層構造からなる筒状本体と、前記内部ケースの中に配置され、前記カートリッジを前記内部ケースに沿って前記充填用差し孔に案内するガイドピンと、から構成され、
前記カートリッジは、上部に前記反応液が収納された反応液収納部と、下部に前記水素ガス発生材が収納された水素ガス発生材収納部と、前記水素ガス発生材収納部と前記反応液収納部との間に設けられた隔壁と、を備えてなり、
前記ガイドピンは、前記カートリッジを前記水素ガス発生材収納部側から前記充填用差し孔に差し込み、前記ガイドピンに沿って最後まで押し込んだ際に、前記ガイドピンの先端部が前記隔壁に達し、前記隔壁を貫通する長さに設定されていることを特徴とする水素ガス吸引装置。
【請求項３】
請求項２に記載の水素ガス吸引装置において、
前記カートリッジ保持部を構成する前記内部ケースと前記外部ケースとの間には、これらを連結する底板部が設けられ、
前記底板部には、前記底板部の空気流入孔を臨む位置に逆止弁が設けられ、
前記逆止弁は、前記吸い口部本体の吸い口側から息を吹いた際に、前記逆止弁の弁体閉じ部が前記外部ケース側に傾斜して前記底板部の前記空気流入孔を塞ぎ、息が前記水素ガス吸引具本体内に入らないようになっていることを特徴とする水素ガス吸引装置。
【請求項４】
請求項２又は３に記載の水素ガス吸引装置において、
前記ガイドピンは、前記カートリッジを前記充填用差し孔に差し込み、前記ガイドピンに沿って最後まで押し込んだ際に、前記ガイドピンの先端部が、前記内部ケースの端部を越えて外側に突出しない長さに設定されていることを特徴とする水素ガス吸引装置。
【請求項５】
請求項２〜４のいずれか一項に記載の水素ガス吸引装置において、
前記吸い口部本体には、消臭フィルターを有し、かつ、使用者によって咥えられるノズルが着脱自在に設けられ、
前記ノズルが前記吸い口部本体に装着された場合に、前記消臭フィルターは、前記吸い口部本体よりも使用者の口元側に位置することを特徴とする水素ガス吸引装置。
【請求項６】
請求項５に記載の水素ガス吸引装置において、
前記ノズルは、前記消臭フィルターよりも使用者の口元側に形成され、かつ、香油又はフレーバーによって香り付けされた着香フィルターが装着可能な被装着部を有することを特徴とする水素ガス吸引装置。
【請求項７】
請求項１〜６のいずれか一項に記載の水素ガス吸引装置に用いられる水素ガス発生材収納用カートリッジであって、
水素ガス発生材が収納された水素ガス発生材収納部と、反応液が収納された反応液収納部と、前記水素ガス発生材収納部と前記反応液収納部との間に設けられた隔壁と、を備え、
前記水素ガス発生材収納部は、カートリッジの充填用差し孔に差し込まれる形態をした筒状外殻体から構成され、
前記筒状外殻体の内部には、ガイドピンを挿入する挿入孔と、前記挿入孔を中心にして、その左右に位置し、かつ前記挿入孔に連通する水素ガス発生材収納孔が設けられ、
前記水素ガス発生材収納部の長さは、前記ガイドピンの長さよりも短く設定されていることを特徴とする水素ガス発生材収納用カートリッジ。
【請求項８】
請求項１〜６のいずれか一項に記載の水素ガス吸引装置に用いられる水素ガス発生材収納用カートリッジであって、
水素ガス発生材が収納された水素ガス発生材収納部と、反応液が収納された反応液収納部と、前記水素ガス発生材収納部と前記反応液収納部との間に設けられた隔壁と、を備え、
前記水素ガス発生材収納部は、カートリッジの充填用差し孔に差し込まれる形態をした筒状外殻体から構成され、
前記筒状外殻体の内部には、ガイドピンを挿入する挿入孔と、前記挿入孔を中心にして、その左右に位置し、かつ前記挿入孔に連通する水素ガス発生材収納孔が設けられ、
前記水素ガス発生材収納孔の長さは、前記隔壁までの長さであり、
前記ガイドピンの長さは、前記水素ガス発生材収納孔の長さよりも長く設定され、
前記水素ガス発生材収納部の長さは、前記ガイドピンの長さよりも長く設定されていることを特徴とする水素ガス発生材収納用カートリッジ。
【請求項９】
請求項７又は８に記載の水素ガス発生材収納用カートリッジにおいて、
前記カートリッジ内部に収納される水素ガス発生材は、マグネシウム紛体及びアルミニウム紛体から選択される少なくとも１種を含む金属紛体Ａと、前記金属紛体Ａよりもイオン化傾向の小さい金属紛体Ｂとの混合物から構成され、
前記反応液は、電解質水溶液であることを特徴とする水素ガス発生材収納用カートリッジ。
【請求項１０】
請求項９に記載の水素ガス発生材収納用カートリッジにおいて、
前記反応液の体積が、前記水素ガス発生材を構成する金属紛体Ａ０.１ｇに対して１．
５ｃｍ３以下に設定されていることを特徴とする水素ガス発生材収納用カートリッジ。
【請求項１１】
請求項７〜１０のいずれか一項に記載の水素ガス発生材収納用カートリッジにおいて、
前記水素ガス発生材は、前記水素ガス発生材収納孔に装填されるケース材に封入されており、
前記ケース材は、
前記水素ガス発生材が収納されて一面側が開口する収納凹部と、
前記収納凹部における前記開口を閉塞し、前記反応液を前記収納凹部内に浸透可能とするとともに前記収納凹部内で発生した水素ガスを通過可能とする被膜と、
を備えることを特徴とする水素ガス発生材収納用カートリッジ。
【請求項１２】
水素ガス吸引装置に適用可能とされ、かつ電解質水溶液と反応する水素ガス発生材であって、
マグネシウム紛体及びアルミニウム紛体から選択される少なくとも１種を含む金属紛体Ａと、前記金属紛体Ａよりもイオン化傾向の小さい金属紛体Ｂとの混合物から構成されていることを特徴とする水素ガス発生材。
【発明の詳細な説明】
【技術分野】
【０００１】
本発明は、水素ガス吸引装置、水素ガス発生材収納用カートリッジ及び水素ガス発生材に関する。
【背景技術】
【０００２】
近年、水素水、水素ガス吸入器などの「水素」商材が、医療機関、治療院、エステサロン、美容院、スポーツジム等の施設で導入されている。２０１６年には、水素ガスを用いた治療方法が、厚生労働省により先進医療Ｂとして認められた。これに伴い、電子タバコのようにして水素ガスを吸引するようなユニークなアイテムが登場しつつある。
【０００３】
ところで、水素ガスを発生、吸引する方法として、水を電気分解し水素ガスを発生、吸引する方法（例えば、特許文献１及び２参照。）や、金属マグネシウム又は水素化マグネシウムとカルボキシ基を有する有機酸とを反応させて、水素ガスを発生、吸引する方法（例えば、特許文献３参照。）が知られている。
【先行技術文献】
【特許文献】
【０００４】
【特許文献１】特開２００５−８７２５７号公報
【特許文献２】特開２０１６−７３５８３号公報
【特許文献３】特開２００９−２７９２４１号公報
【発明の概要】
【発明が解決しようとする課題】
【０００５】
しかしながら、上記特許文献１及び２に開示されている方法では、水素ガス発生装置が大きく、携帯するには適していないといった問題がある。
【０００６】
また、特許文献３に開示されている方法では、反応終了後に液相が残ってしまい、携帯には適しておらず、また、反応には酸が必要となることから、携帯するには十分に安全面に配慮する必要がある。加えて、水素化マグネシウムが高価であるといった問題がある。
また、反応を効率的に進めるにあたり、マグネシウム単体を粉末状にすることが考えられるが、危険物として取り扱う必要があり、安全性に対する配慮が必要となる。
【０００７】
したがって、本発明の課題は、携帯性に優れる水素ガス吸引装置、水素ガス発生材収納用カートリッジ及び水素ガス発生材を提供することである。
【課題を解決するための手段】
【０００８】
以上の課題を解決するため、請求項１に記載の発明は、例えば図１、図２及び図４に示すように、
水素ガス発生材５２と反応液５４とを分離収納するカートリッジ５０を内部に充填可能に保持する水素ガス吸引具本体１０を備えてなり、
カートリッジ５０は、上部に反応液５４が収納された反応液収納部５３と、下部に水素ガス発生材５２が収納された水素ガス発生材収納部５１と、水素ガス発生材収納部５１と反応液収納部５３との間に設けられた隔壁５５と、から構成され、
水素ガス吸引具本体１０には、カートリッジ５０の充填用差し孔３３ａが設けられるとともに、充填用差し孔３３ａ内に、カートリッジ５０を充填用差し孔３３ａに案内するガイドピン３５が設けられ、
ガイドピン３５は、カートリッジ５０を充填用差し孔３３ａに差し込み、ガイドピン３５に沿って最後まで押し込んだ際に、ガイドピン３５の先端部３５ａが隔壁５５に達し、隔壁５５を貫通する長さに設定されていることを特徴とする。
【０００９】
請求項１に記載の発明によれば、水素ガスを吸引する場合には、水素ガス発生材５２を収納したカートリッジ５０を、水素ガス吸引具本体１０の充填用差し孔３３ａに差し込む。この際（カートリッジ５０を充填用差し孔３３ａに差し込む際）、カートリッジ５０の水素ガス発生材収納部５１の下面を、充填用差し孔３３ａ内にあるガイドピン３５の先端部３５ａに当て、カートリッジ５０を水素ガス吸引具本体１０の充填用差し孔３３ａの中に入れるようにして押し込む。
この操作によって、カートリッジ５０は、ガイドピン３５に案内されつつカートリッジ保持部３０の充填用差し孔３３ａ内に差し入れられることとなり、カートリッジ５０の充填操作が楽になるという効果がある。
次いで、カートリッジ５０をガイドピン３５に沿って水素ガス吸引具本体１０の充填用差し孔３３ａの一番奥まで差し込むと、ガイドピン３５の先端部３５ａが、水素ガス発生材５２と反応液５４とを分離収納するカートリッジ５０内の隔壁５５を貫通して隔壁５５を破るため、反応液収納部５３内に充填された反応液５４が水素ガス発生材収納部５１に流れ込み、水素ガス発生材５２と反応液５４とが反応して水素ガスが発生する。
最後に、水素ガス吸引具本体１０を指でつまんで口で咥え、息を吸うと、カートリッジ５０で発生した水素ガスが水素ガス吸引具本体１０の内部から口の中に流れ込み、口内（体内）に吸引されることになる。
この操作は、水素ガス吸引具本体１０に水素ガスの発生材である原料を収納したカートリッジ５０を装着し、水素ガス吸引具本体１０を指でつまんで口で咥えて水素ガスを吸うという簡単な操作であり、また、水素ガスの吸い方も、通常のタバコを吸う場合と同様の吸い方であるため、携帯に適した水素ガス発生装置を提供できる効果がある。
【００１０】
また、水素ガス発生材５２と反応液５４とを収納したカートリッジ５０を充填する操作も、カートリッジ５０を水素ガス吸引具本体１０の充填用差し孔３３ａに差し込む操作で良いため、特別な技術を必要とせず、カートリッジ５０を水素ガス吸引具本体１０に充填することができる。
さらに、カートリッジ５０を水素ガス吸引具本体１０の充填用差し孔３３ａに沿ってその奥まで押し込む操作で、内部ケース３３内にあるガイドピン３５の先端部３５ａがカートリッジ５０の隔壁５５を貫通するため、反応液５４が隔壁５５の貫通部を通って水素ガス発生材収納部５１内に流れ込み、反応液５４と水素ガス発生材５２とを容易に反応させて、水素ガスを発生させることができる。
そして、水素ガス吸引具本体１０を口で咥えて、息を吸えば、カートリッジ５０内で発生した水素ガスを吸引することができ、また、この吸引する操作は、水素ガス吸引具本体１０を指でつまみ、口で咥えて息を吸うという操作であるため、従来のタバコを吸うのと同じようにして、水素ガスを吸引でき、水素ガス吸引装置をより身近にすることができる効果がある。
そして、このようにカートリッジ５０の装着が容易であれば、カートリッジ５０内には、例えば１回分などの必要量だけの水素ガス発生材５２及び反応液５４が収納されていれば良いため、水を電気分解するような大がかりな装置が必要とならずコンパクトにでき、携帯性に優れ、また、場所を選ばず水素ガスを吸引することができる。
【００１１】
請求項２に記載の発明は、例えば図１、図２及び図４に示すように、
水素ガス発生材５２と反応液５４とを分離収納するカートリッジ５０を内部に充填可能に保持する水素ガス吸引具本体１０と、水素ガス吸引具本体１０に着脱可能に取り付けられる吸い口部本体６０と、を備える水素ガス吸引装置１であって、
水素ガス吸引具本体１０は、カートリッジ５０を抜き差し自在に保持するカートリッジ保持部３０と、カートリッジ保持部３０に着脱自在に設けられ天板２１に空気流入孔２２ａを有する筒状蓋体部２０と、から構成され、
カートリッジ保持部３０は、カートリッジ５０の充填用差し孔３３ａを有する内部ケース３３及び充填用差し孔３３ａとは反対の位置に設けられて、吸い口部本体６０を取り付ける取付部３２ａを有する外部ケース３２の２層構造からなる筒状本体３１と、内部ケース３３の中に配置され、カートリッジ５０を内部ケース３３に沿って充填用差し孔３３ａに案内するガイドピン３５と、から構成され、
カートリッジ５０は、図４に詳細を示すように、上部に反応液５４が収納された反応液収納部５３と、下部に水素ガス発生材５２が収納された水素ガス発生材収納部５１と、水素ガス発生材収納部５１と反応液収納部５３との間に設けられた隔壁５５と、を備えてなり、
ガイドピン３５は、図２に示すように、カートリッジ５０を水素ガス発生材収納部５１側から充填用差し孔３３ａに差し込み、ガイドピン３５に沿って最後まで押し込んだ際に、ガイドピン３５の先端部３５ａが隔壁５５に達し、隔壁５５を貫通する長さに設定されていることを特徴とする。
【００１２】
請求項２に記載の発明によれば、水素ガスを吸引する場合には、まず、水素ガス吸引具本体１０にこの水素ガス吸引具本体１０を咥えるための吸い口部本体６０を取り付け、水素ガス吸引具本体１０を構成するカートリッジ保持部３０の内部ケース３３に、水素ガス発生材５２と反応液５４とを分離収納するカートリッジ５０を差し込む。
この際（カートリッジ５０をカートリッジ保持部３０の充填用差し孔３３ａに差し込む際）、カートリッジ５０の水素ガス発生材収納部５１の下面を、ガイドピン３５の先端部３５ａに当て、カートリッジ５０をカートリッジ保持部３０の充填用差し孔３３ａの中に入れるようにして押し込む。
この操作によって、カートリッジ５０は、ガイドピン３５に案内されつつカートリッジ保持部３０を構成する内部ケース３３内に差し入れられるので、カートリッジ５０の充填操作が楽になるという効果がある。
【００１３】
次いで、カートリッジ５０を内部ケース３３の一番奥まで差し込むと、ガイドピン３５が、水素ガス発生材５２と反応液５４とを分離収納するカートリッジ５０内の隔壁５５を貫通して隔壁５５を破るため、反応液収納部５３内に充填された反応液５４が水素ガス発生材収納部５１に流れ込み、水素ガス発生材５２と反応液５４とが反応して水素ガスが発生する。
最後に、カートリッジ保持部３０に筒状蓋体部２０を装着して、水素ガス吸引具本体１０を指でつまんで吸い口部本体６０を口で咥え、息を吸うと、筒状蓋体部２０の空気流入孔２２ａから水素ガス吸引具本体１０の内部に空気が流れ込み、その空気がカートリッジ５０で発生した水素ガスとともに口内（体内）に吸引されることになる。
この操作は、水素ガス吸引具本体１０に水素ガスの発生材である原料を収納したカートリッジ５０を装着し、水素ガス吸引具本体１０を指でつまんで吸い口部本体６０を咥えて水素ガスを吸うという簡単な操作であり、また、水素ガスの吸い方も、通常のタバコを吸う場合と同様の吸い方であるため、携帯に適した水素ガス発生装置を提供できる効果がある。
【００１４】
また、水素ガス発生材５２と反応液５４とを収納したカートリッジ５０を内部ケース３３に充填する操作も、カートリッジ５０を内部ケース３３の充填用差し孔３３ａに差し込む操作で良いため、特別な技術を必要とせず、カートリッジ５０を水素ガス吸引具本体１０に充填することができる。
さらに、カートリッジ５０を内部ケース３３の充填用差し孔３３ａに沿ってその奥まで押し込む操作で、内部ケース３３内にあるガイドピン３５がカートリッジ５０の隔壁５５を貫通するため、反応液５４が隔壁５５の貫通部を通って水素ガス発生材収納部５１内に流れ込み、反応液５４と水素ガス発生材５２とを容易に反応させて、水素ガスを発生させることができる。
そして、吸い口部本体６０を口で咥えて、息を吸えば、カートリッジ５０内で発生した水素ガスを吸引することができ、また、この吸引する操作は、水素ガス吸引具本体１０を指でつまみ、吸い口部本体６０を口で咥えて息を吸うという操作であるため、従来のタバコを吸うのと同じようにして、水素ガスを吸引でき、水素ガス吸引装置をより身近にすることができる効果がある。
【００１５】
そして、このようにカートリッジ５０の装着が容易であれば、カートリッジ５０内には、例えば１回分などの必要量だけの水素ガス発生材５２及び反応液５４が収納されていれば良いため、水を電気分解するような大がかりな装置が必要とならずコンパクトにでき、携帯性に優れ、また、場所を選ばず水素ガスを吸引することができる。
【００１６】
請求項３に記載の発明は、例えば図２及び図８に示すように、
請求項２に記載の水素ガス吸引装置１において、
カートリッジ保持部３０を構成する内部ケース３３と外部ケース３２との間には、これらを連結する底板部３７が設けられ、
底板部３７には、底板部３７の空気流入孔３７ｆを臨む位置に逆止弁３６が設けられ、
逆止弁３６は、吸い口部本体６０の吸い口６１ａ側から息を吹いた際に、逆止弁３６の弁体閉じ部３６ｂが外部ケース３２側に傾斜して底板部３７の空気流入孔３７ｆを塞ぎ、息が水素ガス吸引具本体１０内に入らないようになっていることを特徴とする。
【００１７】
請求項３に記載の発明によれば、吸い口部本体６０の吸い口６１ａ側から、誤って息を吹いても、逆止弁３６の弁体閉じ部３６ｂが底板部３７の空気流入孔３７ｆを塞ぐため、カートリッジ５０内で発生した水素ガスが逆流し、空気流入孔３７ｆを通って筒状蓋体部２０の空気流入孔２２ａから排出されてしまうことがなく、発生させた水素ガスを無駄にすることなく、効率的に吸引することができる。
【００１８】
請求項４に記載の発明は、例えば図１３〜図１５に示すように、
請求項２又は３に記載の水素ガス吸引装置１００において、
前記ガイドピン１３５は、前記カートリッジ１５０を前記充填用差し孔１３３ａに差し込み、前記ガイドピン１３５に沿って最後まで押し込んだ際に、前記ガイドピン１３５の先端部１３５ａが、前記内部ケース１３３の端部を越えて外側に突出しない長さに設定されていることを特徴とする。
【００１９】
請求項４に記載の発明によれば、ガイドピン１３５は、カートリッジ１５０を充填用差し孔１３３ａに差し込み、ガイドピン１３５に沿って最後まで押し込んだ際に、ガイドピン１３５の先端部１３５ａが、内部ケース１３３の端部を越えて外側に突出しない長さに設定されているので、カートリッジ１５０を充填用差し孔１３３ａから取り出した際に、ガイドピン１３５の先端部１３５ａが、内部ケース１３３の端部を越えて外側に突出しない状態となり、安全性に優れる。
【００２０】
請求項５に記載の発明は、例えば図２０，図２１に示すように、
請求項２〜４のいずれか一項に記載の水素ガス吸引装置１（１００）において、
前記吸い口部本体６０（１６０）には、消臭フィルター８３を有し、かつ、使用者によって咥えられるノズル８０が着脱自在に設けられ、
前記ノズル８０が前記吸い口部本体６０（１６０）に装着された場合に、前記消臭フィルター８３は、前記吸い口部本体６０（１６０）よりも使用者の口元側に位置することを特徴とする。
【００２１】
請求項５に記載の発明によれば、ノズル８０が吸い口部本体６０（１６０）に装着された場合に、消臭フィルター８３が、吸い口部本体６０（１６０）よりも使用者の口元側に位置するので、水素ガス吸引装置１（１００）の使用時に臭いが発生した場合でも、当該臭いを消臭フィルター８３によって消臭できる。これにより、水素ガス吸引時における快適性の向上に貢献できる。
【００２２】
請求項６に記載の発明は、例えば図２０，図２１に示すように、
請求項５に記載の水素ガス吸引装置１（１００）において、
前記ノズル８０は、前記消臭フィルター８３よりも使用者の口元側に形成され、かつ、香油又はフレーバーによって香り付けされた着香フィルター８４が装着可能な被装着部８２ａを有することを特徴とする。
【００２３】
請求項６に記載の発明によれば、ノズル８０は、消臭フィルター８３よりも使用者の口元側に形成され、かつ、香油又はフレーバーによって香り付けされた着香フィルター８４が装着可能な被装着部８２ａを有するので、当該被装着部８２ａに着香フィルター８４を装着して水素ガスを吸引した場合に、使用者は、香油又はフレーバーの匂いを感じ取ることができる。これにより、水素ガス吸引時における快適性をより向上させることができる。
【００２４】
請求項７に記載の発明は、例えば図１、図２及び図４に示すように、
請求項１〜６のいずれか一項に記載の水素ガス吸引装置１に用いられる水素ガス発生材収納用カートリッジ５０であって、
水素ガス発生材５２が収納された水素ガス発生材収納部５１と、反応液５４が収納された反応液収納部５３と、水素ガス発生材収納部５１と反応液収納部５３との間に設けられた隔壁５５と、を備えてなり、
水素ガス発生材収納部５１は、カートリッジの充填用差し孔３３ａに差し込まれる形態をした筒状外殻体から構成され、
筒状外殻体の内部には、ガイドピン３５を挿入する挿入孔５１ｄと、挿入孔５１ｄを中心にして、その左右に位置し、かつ挿入孔５１ｄに連通する水素ガス発生材収納孔５１ａ、５１ｂが設けられ、
水素ガス発生材収納部５１の長さＬ２は、ガイドピン３５の長さＬ１よりも短く設定されていることを特徴とする（図２参照。）。
【００２５】
請求項７に記載の発明によれば、カートリッジ５０は、水素ガス発生材収納部５１と反応液収納部５３とが隔壁５５によって分離された内部構造となっているため、これら収納部内に収納される水素ガス発生材５２と反応液５４とを常時分離収納した状態で保持することができる。そして、これにより、保管時（携帯時）における安全性を確保することができる。
また、このカートリッジ５０内の水素ガス発生材５２と反応液５４とを使って、水素ガスを発生させる（吸引する）場合には、カートリッジ５０の充填用差し孔３３ａにカートリッジ５０を差し込めば良い。
この操作は、カートリッジ５０の挿入孔５１ｄに水素ガス吸引具本体１０（内部ケース３３）にあるガイドピン３５を差しこみ、このガイドピン３５に沿ってカートリッジ５０を押し込む操作で良い。
水素ガス発生材収納部５１は、カートリッジ５０の充填用差し孔３３ａに差し込まれる形態をした筒状外殻体から構成されているため、カートリッジ５０を押し込む操作で水素ガス発生材収納部５１が水素ガス吸引具本体１０（内部ケース３３）内に納まる。
そして、カートリッジ５０を水素ガス吸引具本体１０（内部ケース３３）の充填用差し孔３３ａに最後まで押し込むと、ガイドピン３５が水素ガス発生材収納部５１の長さＬ２よりも長く形成されているために、隔壁５５を貫通し、この隔壁５５を破るため、反応液収納部５３内の反応液５４が水素ガス発生材収納部５１内に流れ込み、水素ガス発生材５２と反応し、水素ガスを発生させることになる。
【００２６】
このように、請求項７に記載の発明によれば、水素ガス吸引具本体１０にカートリッジ５０を充填する前は、安全な状態で水素ガス発生材５２とその反応液５４とを保持でき、使用時には、カートリッジ５０をカートリッジ５０の充填用差し孔３３ａに差し込むだけで、ガイドピン３５によって隔壁５５を貫通させることができるので、カートリッジ５０内において、水素ガス発生材５２と反応液５４とを容易に反応させて水素ガスを発生させることができる。
これにより、携帯に適した使い勝手の良い水素ガス吸引装置の水素ガス発生材収納用カートリッジ５０を提供することができる。
【００２７】
請求項８に記載の発明は、例えば図１３〜図１６に示すように、
請求項１〜６のいずれか一項に記載の水素ガス吸引装置１００に用いられる水素ガス発生材収納用カートリッジ１５０であって、
水素ガス発生材１５２が収納される水素ガス発生材収納部１５１と、反応液が収納される反応液収納部１５３と、前記水素ガス発生材収納部１５１と前記反応液収納部１５３との間に設けられた隔壁１５５と、を備え、
前記水素ガス発生材収納部１５１は、カートリッジ１５０の充填用差し孔１３３ａに差し込まれる形態をした筒状外殻体から構成され、
前記筒状外殻体の内部には、ガイドピン１３５を挿入する挿入孔１５１ｄと、前記挿入孔１５１ｄを中心にして、その左右に位置し、かつ前記挿入孔１５１ｄに連通する水素ガス発生材収納孔１５１ａ，１５１ｂが設けられ、
前記水素ガス発生材収納孔１５１ａ，１５１ｂの長さは、前記隔壁１５５までの長さであり、
前記ガイドピンの長さは、前記水素ガス発生材収納孔の長さよりも長く設定され、
前記水素ガス発生材収納部１５１の長さは、前記ガイドピン１３５の長さよりも長く設定されていることを特徴とする。
【００２８】
請求項８に記載の発明によれば、カートリッジ１５０は、水素ガス発生材収納部１５１と反応液収納部１５３とが隔壁１５５によって分離された内部構造となっているため、これら収納部内に収納される水素ガス発生材１５２と反応液とを常時分離収納した状態で保持することができる。そして、これにより、保管時（携帯時）における安全性を確保することができる。
また、このカートリッジ１５０内の水素ガス発生材１５２と反応液とを使って、水素ガスを発生させる（吸引する）場合には、カートリッジ１５０の充填用差し孔１３３ａにカートリッジ１５０を差し込めば良い。
この操作は、カートリッジ１５０の挿入孔１５１ｄに水素ガス吸引具本体１１０（内部ケース１３３）にあるガイドピン１３５を差しこみ、このガイドピン１３５に沿ってカートリッジ１５０を押し込む操作で良い。
水素ガス発生材収納部１５１は、カートリッジ１５０の充填用差し孔１３３ａに差し込まれる形態をした筒状外殻体から構成されているため、カートリッジ１５０を押し込む操作で水素ガス発生材収納部１５１が水素ガス吸引具本体１１０（内部ケース１３３）内に納まる。
水素ガス発生材収納孔１５１ａ，１５１ｂの長さは、隔壁１５５までの長さであり、ガイドピンの長さは、水素ガス発生材収納孔の長さよりも長く設定され、水素ガス発生材収納部１５１の長さは、ガイドピン１３５の長さよりも長く設定されているので、カートリッジ１５０を水素ガス吸引具本体１１０（内部ケース１３３）の充填用差し孔１３３ａに最後まで押し込むと、ガイドピン１３５が水素ガス発生材収納孔１５１ａ，１５１ｂの長さＬ２´よりも長く形成されているために、隔壁１５５を貫通し、この隔壁１５５を破るため、反応液収納部１５３内の反応液が水素ガス発生材収納部１５１内に流れ込み、水素ガス発生材１５２と反応し、水素ガスを発生させることになる。しかも、カートリッジ１５０を水素ガス吸引装置１００から取り出した際に、ガイドピン１３５の先端部１３５ａが、筒状外殻体の端部を越えて外側に突出しない状態となり、安全性に優れる。
【００２９】
請求項９に記載の発明は、例えば図４に示すように、
請求項７又は８に記載の水素ガス発生材収納用カートリッジ５０（１５０）において、
カートリッジ内部に収納される水素ガス発生材５２が、マグネシウム紛体及びアルミニウム紛体から選択される少なくとも１種を含む金属紛体Ａと、金属紛体Ａよりもイオン化傾向の小さい金属紛体Ｂとの混合物から構成され、
反応液５４が、電解質水溶液であることを特徴とする。
【００３０】
請求項９に記載の発明によれば、イオン化傾向の異なる２種の金属紛体Ａ及びＢを電気化学的に反応させて水素ガスを発生させるため、水を電気分解するような大がかりな装置を必要とせず、携帯性に優れている。
【００３１】
請求項１０に記載の発明は、例えば図４に示すように、
請求項９に記載の水素ガス発生材収納用カートリッジ５０において、
反応液５４の体積が、水素ガス発生材５２を構成する金属紛体Ａ０.１ｇに対して１．
５ｃｍ３以下に設定されていることを特徴とする。
【００３２】
請求項１０に記載の発明によれば、反応液５４の体積が、水素ガス発生材５２を構成する金属紛体Ａ０.１ｇに対して１．５ｃｍ３以下に設定されているため、１．５ｃｍ３以下の反応液５４では、金属紛体Ａと金属紛体Ｂとの混合物は、その粘度を下げることなく、ゲル化し、反応液５４が液体として、あるいは粘性の低い流体としてカートリッジ５０内に残ることがなく、カートリッジ５０を取り出しても、カートリッジ５０から反応した混合物の残渣が漏れ出ることがない。
【００３３】
請求項１１に記載の発明は、例えば図１６〜図１９に示すように、
請求項７〜１０のいずれか一項に記載の水素ガス発生材収納用カートリッジ１５０において、
前記水素ガス発生材１５２は、前記水素ガス発生材収納孔１５１ａ，１５１ｂに装填されるケース材１８０に封入されており、
前記ケース材１８０は、
前記水素ガス発生材１５２が収納されて一面側が開口（開口１８１ａ）する収納凹部１８１と、
前記収納凹部１８１における前記開口１８１ａを閉塞し、前記反応液を前記収納凹部１８１内に浸透可能とするとともに前記収納凹部１８１内で発生した水素ガスを通過可能とする被膜１８２と、
を備えることを特徴とする。
【００３４】
請求項１１に記載の発明によれば、収納凹部１８１における一面側の開口１８１ａが、反応液を収納凹部１８１内に浸透可能とするとともに収納凹部１８１内で発生した水素ガスを通過可能とする被膜１８２によって閉塞されるので、収納凹部１８１に収納された水素ガス発生材１５２が収納凹部１８１外に飛散することを防ぎつつ、水素ガスを確実に発生させることができる。
【００３５】
請求項１２に記載の発明は、例えば図４に示すように、
水素ガス吸引装置１に適用可能とされ、かつ電解質水溶液と反応する水素ガス発生材５２であって、
マグネシウム紛体及びアルミニウム紛体から選択される少なくとも１種を含む金属紛体Ａと、金属紛体Ａよりもイオン化傾向の小さい金属紛体Ｂとの混合物から構成されていることを特徴とする。
【００３６】
請求項１２に記載の発明によれば、イオン化傾向の異なる２種の金属紛体Ａ及びＢを電気化学的に反応させて水素ガスを発生させるため、水を電気分解するような大がかりな装置を必要とせず、携帯性に優れている。
【発明の効果】
【００３７】
本発明によれば、携帯性に優れた水素ガス吸引装置、水素ガス発生材収納用カートリッジ及び水素ガス発生材を提供することができる。
【図面の簡単な説明】
【００３８】
【図１】水素ガス吸引装置を示す図であり、（ａ）は保管時（携帯時）における斜視図であり、（ｂ）は分解斜視図であり、（ｃ）は使用時における斜視図である。
【図２】水素ガス吸引装置を示す断面図である。
【図３】キャップ部を示す断面図である。
【図４】カートリッジを示す図であり、（ａ）は斜視図であり、（ｂ）は（ａ）におけるＡ−Ａ線断面図であり、（ｃ）は（ａ）におけるＢ−Ｂ線断面図である。
【図５】ガイドピンの先端部を示す模式図である。
【図６】吸い口部本体を示す斜視図である。
【図７】水素ガス吸引装置における空気及び水素ガスの流れを示す断面図である。
【図８】図２における逆止弁近傍を示す図であり、（ａ）は開状態を示す斜視図であり、（ｂ）閉状態を示す斜視図である。
【図９】中空糸膜フィルターを示す図であり、（ａ）は斜視図であり、（ｂ）は（ａ）におけるＣ−Ｃ線断面図である。
【図１０】キャップ部の変形例を示す断面図である。
【図１１】カートリッジの変形例を示す断面図である。
【図１２】ガイドピンの先端部の変形例を示す模式図である。
【図１３】水素ガス吸引装置の変形例を示す断面図である。
【図１４】筒状外殻体における隔壁側の端部の内部構造を示す斜視図である。
【図１５】ガイドピンとその周囲との一体構造を示す斜視図である。
【図１６】カートリッジの変形例を示す断面図である。
【図１７】水素ガス発生材収納孔に装填されるケース材を示す斜視図である。
【図１８】ケース材を用いた場合の水素ガス発生の仕組みを説明する図である。
【図１９】ケース材の製造過程の状態を示す平面図である。
【図２０】吸い口部本体にノズルが装着された状態を示す図である。
【図２１】ノズルに着香フィルターが装着された状態を示す図である。
【発明を実施するための形態】
【００３９】
以下、図面を参照して、本発明の実施の形態について説明する。ただし、以下に述べる実施形態には、本発明を実施するために技術的に好ましい種々の限定が付されているが、本発明の技術的範囲を以下の実施形態及び図示例に限定するものではない。
【００４０】
図１及び図２に示すように、水素ガス吸引装置１は、後述する水素ガス発生材５２と反応液５４とを分離収納するカートリッジ５０を内部に充填可能に保持する水素ガス吸引具本体１０と、水素ガス吸引具本体１０に着脱可能に取り付けられる吸い口部本体６０と、水素ガス吸引具本体１０に着脱自在に取り付けられるキャップ部４０と、を備えている。
なお、図２では、便宜上、水素ガス発生材５２及び反応液５４は省略している。
【００４１】
水素ガス吸引具本体１０は、交換可能なカートリッジ５０を抜き差し自在に保持するカートリッジ保持部３０と、このカートリッジ保持部３０に着脱自在に取り付けられ天板２１に外部から空気を取り込む空気流入孔２２ａを有する筒状蓋体部２０とから構成されている。
【００４２】
カートリッジ保持部３０は、カートリッジ５０の充填用差し孔３３ａを有する内部ケース３３及び充填用差し孔３３ａとは反対の位置に設けられて、吸い口部本体６０を取り付ける取付部３２ａを有する外部ケース３２の２層構造からなる筒状本体３１と、この筒状本体３１の底板を構成する底板部３７と、この底板部３７に立設され、カートリッジ５０を内部ケース３３に沿って充填用差し孔３３ａに案内するガイドピン３５と、から構成されている（図２参照。）。
【００４３】
そして、このガイドピン３５は、カートリッジ５０を充填用差し孔３３ａに差し込み、ガイドピン３５に沿って内部ケース３３の奥までカートリッジ５０を押し込んだ際に、ガイドピン３５の先端部３５ａが隔壁５５に達し、隔壁５５を貫通する長さとなるように設定されている。
実施例では、図２に示すように、ガイドピン３５の先端までの長さＬ１（図示例では、ガイドピン３５の付け根から先端までの長さ）は、カートリッジ５０の隔壁５５までの長さＬ２（図示例ではガイドピン３５の付け根に対応する位置から隔壁５５までの長さ）よりも長く設定され、カートリッジ５０をガイドピン３５の付け根まで押し込んだ際に、ガイドピン３５の先端（先端部３５ａ）がカートリッジ５０の反応液収納部５３内にまで達する長さに設定されているものである。
【００４４】
以上の水素ガス吸引装置１によれば、水素ガスを吸引する場合には、まず、水素ガス吸引具本体１０にこの水素ガス吸引具本体１０を咥えるための吸い口部本体６０を取り付け、水素ガス吸引具本体１０を構成するカートリッジ保持部３０の内部ケース３３に、水素ガス発生材５２と反応液５４とを分離収納するカートリッジ５０を差し込む。
この際（カートリッジ５０をカートリッジ保持部３０の充填用差し孔３３ａに差し込む際）、まずカートリッジ５０の水素ガス発生材収納部５１の下面を、ガイドピン３５に当てて位置を決め、カートリッジ５０を、このガイドピン３５に差し入れるようにして押し込み、カートリッジ保持部３０を構成する内部ケース３３内にカートリッジ５０を差し入れるようにする。
【００４５】
この操作によって、カートリッジ５０はガイドピン３５に案内されつつカートリッジ保持部３０の内部ケース３３に差し入れられるので、カートリッジ５０の充填操作が楽になるという効果がある。
次いで、カートリッジ５０を内部ケース３３の一番奥まで差し込むと、水素ガス発生材５２と反応液５４とを分離収納するカートリッジ５０内の隔壁５５がガイドピン３５によって貫通され、その先端部３５ａが反応液収納部５３内に達し、反応液収納部５３内に充填されている反応液５４が水素ガス発生材収納部５１内に流れ込む。そして、水素ガス発生材５２と反応液５４とが反応して水素ガスがカートリッジ５０内に発生する。
カートリッジ５０の装着後、カートリッジ保持部３０に筒状蓋体部２０を取り付けて、水素ガス吸引具本体１０を組み立て、これを指でつまんで、吸い口部本体６０を口で咥え、息を吸うと、筒状蓋体部２０の空気流入孔２２ａから水素ガス吸引具本体１０の内部に空気が流れ込み、その空気がカートリッジ５０で発生した水素ガスとともに口内（体内）に吸引されることになる。
【００４６】
この操作は、水素ガス吸引具本体１０に、水素ガス発生材収納用カートリッジ５０を差し込んだ状態で、水素ガス吸引具本体１０を、例えば親指と人差し指とでつまんで持ち、吸い口部本体６０を咥えて吸うという簡単な操作であり、また、水素ガスの吸い方も、通常のタバコを吸う場合と同様の吸い方であるため、携帯に適した水素ガス発生装置を提供できる効果がある。
また、水素ガスを発生させるカートリッジ５０を充填する操作も、カートリッジ５０の水素ガス発生材収納部５１の底面にガイドピン３５を差すようにして、カートリッジ５０をガイドピン３５に沿って押し込む操作でよく、この操作で、ガイドピン３５がカートリッジ５０内の隔壁５５を貫通して（破って）反応液５４が水素ガス発生材収納部５１内に流れ水素ガス発生材５２と接触するので、カートリッジ５０内で水素ガスを発生させることができる。
そしてこれにより、タバコを吸うのと同じような操作で水素ガスの吸引を行うことができ、水素ガス吸引装置をより身近にすることができる。
また、このようにカートリッジ５０の装着が容易であれば、カートリッジ５０内には、例えば１回分などの必要量だけの水素ガス発生材５２及び反応液５４が収納されていれば良いため、水を電気分解するような大がかりな装置が必要とならずコンパクトにでき、携帯性に優れ、また、場所を選ばず水素ガスを吸引することができる。
【００４７】
ここで、水素ガス吸引具本体１０を構成する２つの主要部材である筒状蓋体部２０と、カートリッジ５０を保持するカートリッジ保持部３０の具体的な構造を説明する。
【００４８】
（筒状蓋体部２０の構造）
筒状蓋体部２０は、図１及び図２に示すように、天板２１を備えた肉厚の円筒型をしており、全体の長さは、円筒の内部にカートリッジ５０の上半分を収納する大きさに形成されている。そして、天板２１には、この天板２１よりも一段さらにせり上がる形態の段部２２を備え、この段部２２の天面に空気流入孔２２ａが設けられている。
【００４９】
また、段部２２の外周には、キャップ部４０を段部２２にはめ込んだ時に、キャップ部４０の内面に圧接してキャップ部４０を保持する環状凸部２２ｂが設けられている。
実施例では、筒状蓋体部２０をカートリッジ保持部３０に取り付けた時に、段部２２の内側底部２２ｃが、カートリッジ５０の上端に接し、カートリッジ５０を安定して保持するように構成されている（図２参照。）。
さらに、筒状蓋体部２０の内面とカートリッジ５０との間には、空気流入孔２２ａから取り入れた空気を吸い口部本体６０に案内する上部空気路２３が形成されている。
一方、筒状蓋体部２０の肉厚に形成された外殻底面には、この底面を一周する形態の環状溝２０ａが形成され、この環状溝２０ａには、この筒状蓋体部２０をカートリッジ保持部３０に取り付けた時にカートリッジ保持部３０との間から水素ガスが漏れないようにするための気密性パッキン材２４がはめ込まれている。
この気密性パッキン材２４としては、例えばＡＢＳ樹脂（アクリロニトリル・ブタジエン・スチレン樹脂）とシリコーンとを一体成型したリング状のもの等を用いることができる。
【００５０】
（カートリッジ保持部３０の構造）
カートリッジ保持部３０は、図２にその詳細を示すように、筒状の外部ケース３２と、この外部ケース３２よりも径方向内側に設けられ、かつカートリッジ５０を収納する内部ケース３３との２層構造からなる筒状本体３１を主体として構成されている。
そして、この筒状本体３１の底部には、ガイドピン３５を支持する底板部３７が設けられ、全体としては底板付の円筒型をした構造となっている。
【００５１】
外部ケース３２と内部ケース３３との間には、空気流入孔２２ａから取り入れた空気を吸い口部本体６０に案内する下部空気路３４が設けられている。
筒状本体３１を構成する外部ケース３２は、筒状蓋体部２０の外径とほぼ等しい外径を有する筒型をしており、その底部には、外部ケース３２の外径よりも径の小さい円筒状をした環状保持部３２ｂが設けられ、この環状保持部３２ｂ自身が、実施例では、吸い口部本体６０を取り付ける取付部３２ａを兼ねている。
そして、この環状保持部３２ｂの内側には、外部ケース３２の内外を連通する連通孔３２ｄが設けられている。
【００５２】
この環状保持部３２ｂは、底板部３７を下から支持するとともに、自身の外周にキャップ部４０をはめ込み保持するためのもので、外部ケース３２の底部よりも上下に突出した形態をしており、その内周には、後述の中空糸膜フィルター７０が保持されるようになっている。
なお、環状保持部３２ｂの下側外周面には、キャップ部４０を環状保持部３２ｂにはめ込んだ時に、キャップ部４０の内面（環状溝４１ｃ）に圧接してキャップ部４０を保持する環状凸部３２ｃが設けられている。
【００５３】
筒状本体３１を構成するもう一つの部材である内部ケース３３は、カートリッジ５０の充填用差し孔３３ａを構成するとともに自身の上端部３３ｂが外部ケース３２の上端よりも突出し、筒状蓋体部２０の内側に挿入される構成とされ、全体としては、カートリッジ５０の下半分（実施例では水素ガス発生材収納部５１）を覆う大きさの円筒状をなしている。
【００５４】
そして、内部ケース３３の内径は、水素ガス発生材収納部５１の外周面５１ｃの外径とほぼ等しく設定され、内部ケース３３の内面に水素ガス発生材収納部５１の外周面（円弧状部）５１ｃが接してカートリッジ５０を保持するようになっている。
また、内部ケース３３の外径は、外部ケース３２の内径よりも一回り小さく、かつ筒状蓋体部２０の内径とほぼ等しく設定されている。
これにより、内部ケース３３を外部ケース３２に組み入れた際に、外部ケース３２と内部ケース３３との間に下部空気路３４を形成するとともに、筒状蓋体部２０の内側に密接されて、これを保持できるようになっている（図２参照。）。
【００５５】
さらに、内部ケース３３の上側外周面には、外部ケース３２の内側に支持される環状凸部３３ｃが、外部ケース３２の上端に対応する位置に揃えて設けられており、筒状蓋体部２０の下端面にある気密性パッキン材２４がこれら環状凸部３３ｃの上面と外部ケース３２の上端面とに接し、気密性を保持するようになっている。
【００５６】
一方、内部ケース３３の上端部３３ｂには、図１に示すように、Ｌ字型をした係合溝３３ｄが上端に開口して形成されており、筒状蓋体部２０の下端側内面に設けられた係合突部（図示略）と係合することで、筒状蓋体部２０がカートリッジ保持部３０に固定されるようになっている。
より具体的には、筒状蓋体部２０を被せる際に、筒状蓋体部２０内面の係合突部を、内部ケース３３の係合溝３３ｄに合わせて差し込むと、この係合突部が係合溝３３ｄに沿って移動し、係合突部と係合溝３３ｄとが係合するために、カートリッジ保持部３０に筒状蓋体部２０が固定され、カートリッジ保持部３０と筒状蓋体部２０とが強固に一体化され、水素ガス吸引具本体１０を指で持ちやすくすることができるものである。
【００５７】
外部ケース３２と内部ケース３３との間に形成された下部空気路３４は、図２及び図７に示すように、空気流入孔２２ａから流入した空気を吸い口部本体６０側へ送る流路であるとともに、水素ガス発生材５２と反応液５４との反応熱を直接外部ケース３２に伝わることを抑える機能を有し、水素ガス吸引装置１の使用中に熱で持ちにくくなることを防ぐことができる。
【００５８】
なお、下部空気路３４と外部ケース３２との間には、下部空気路３４とは別に下部空気路３４と隔絶された、反応熱の伝わりを防ぐための空気層を設けてもよい。この場合、外部ケース３２に、空気層と外部とを繋ぐ通気孔を設けてもよく、これにより、通気孔を通して水素ガス発生材５２及び反応液５４の反応熱で温まった空気と外部の空気とを循環させることができ、より効率的に外部ケース３２への反応熱の伝わりを防止できる。
また、外部ケース３２へ支障がない程度に反応熱が伝わるよう設計してもよい。反応熱が外部ケース３２に伝わることで、水素ガス吸引装置１を手にした時に水素ガスの発生を温度で知覚することができ、適切なタイミングで水素ガスの吸引を始めることができる。
【００５９】
次に、図２を参照して、このカートリッジ保持部３０の底板部３７を説明する。
この底板部３７は、外部ケース３２の内周面とほぼ同じ大きさに形成されており、外部ケース３２の内側の一番奥にある環状保持部３２ｂの上端面まで挿入されるようになっている。そして、この底板部３７は、内部ケース３３を組み入れた際に、内部ケース３３の下端が底板部３７の上面に接し、外部ケース３２の環状保持部３２ｂとの間で固定されるようになっている。
また、底板部３７の外周部には、底板部３７を外部ケース３２内に安定して保持するための環状外壁３７ａが設けられるとともに、底板部３７の中心部には、ガイドピン３５の基端部が差し込まれる差し込み孔３７ｂが設けられている。
【００６０】
一方、底板部３７の中心部には、同心円状に下方に突出した突出部３７ｃが設けられており、この突出部３７ｃの外周に後述の中空糸膜フィルター７０がはめ込まれるようになっている。また、この突出部３７ｃには底板部３７の上下に連通する空気流通路３７ｄが設けられ、筒状本体３１の内部と外部とを連通するようになっており、カートリッジ５０で発生した水素ガスがこの空気流通路３７ｄを通過して吸い口部本体６０に案内されるようになっている。
【００６１】
（逆止弁３６の構造）
ところで、本実施例では、底板部３７には、図８に示すように、吸い口部本体６０の吸い口６１ａから誤って息を吹き込んでしまったときに、息が筒状本体３１の中に入らないようにするための逆止弁３６が設けられている。
【００６２】
具体的には、底板部３７の左右両側の切欠きで形成された空気流入孔３７ｆに臨む位置に面して「くの字」型をした弁体からなる逆止弁３６が２個配置されており、この逆止弁３６は、吸い口部本体６０の吸い口６１ａ側から息を吹いた際に、弁体閉じ部３６ｂが外部ケース３２側に傾斜して空気流入孔３７ｆを塞ぎ、息が水素ガス吸引具本体１０内に入らないようになっているものである。
【００６３】
この逆止弁３６を構成する弁体は、底板部３７に固定された基底部３６ａと、基底部３６ａに折り曲げ可能に設けられた弁体閉じ部３６ｂと、から構成されている。
そして、吸い口６１ａから息を吸い込むと弁体閉じ部３６ｂが径方向内側に傾斜して流路を開放し（開状態、図８（ａ）参照。）、空気が吸い口６１ａに向かって流れるようになる。このとき、弁体閉じ部３６ｂは、底板部３７の環状外壁３７ａに遮られるようにして所定の角度以上は傾斜しないようになっている。反対に、吸い口６１ａから息を吹き込むと弁体閉じ部３６ｂが径方向外側（外部ケース３２側）に傾斜して流路を塞ぐようになっている（閉状態、図８（ｂ）参照。）。
【００６４】
これにより、水素ガスが逆流して水素ガス吸引具本体１０内に入ることなく、発生させた水素ガスを無駄にすることなく、効率的に吸引することができる。
なお、逆止弁３６は、気密性を高めるため、ゴム製であることが好ましい。
【００６５】
（ガイドピン３５の構造）
ガイドピン３５は、図２に示すように、水素ガス発生材５２と反応液５４とを分離収納するカートリッジ５０をカートリッジ保持部３０の中に案内するとともに、カートリッジ５０を押し込んだ時に、カートリッジ５０の隔壁５５を突いてこの隔壁５５を貫通させ、カートリッジ５０上部に収納された反応液５４を水素ガス発生材収納部５１内に流すためのものである。
【００６６】
実施例では、その基端がカートリッジ保持部３０の底板部３７中心にある差し込み孔３７ｂに差し込まれて固定されており、その先端部３５ａは、へら状に広がってカートリッジ５０の隔壁５５を大きく破るように形成されている。
【００６７】
具体的には、図５に示すように、ガイドピン３５の先端部３５ａは、当該先端部３５ａよりも基端側（すなわち、吸い口部本体６０側）のガイドピン３５の軸径に比して幅広なへら状に形成されている。
これにより、先端部３５ａが反応液収納部５３に差し込まれた際、反応液収納部５３の貫通部が細長くなり、貫通口をガイドピン３５で完全に塞ぐことがないため、空気が反応液収納部５３内に入りやすく、反応液５４の移動がスムーズに行われ、反応液５４を水素ガス発生材収納部５１に向かって効率的に供給することができる。
【００６８】
なお、ガイドピン３５の形状は特に限定されず、例えば略針状でもよく、この場合には、ガイドピン３５の外周面に軸方向に沿った溝が形成されていることで、当該溝を介して反応液５４を水素ガス発生材収納部５１に効率的に供給することも可能である。
【００６９】
（吸い口部本体６０の構造）
次に、水素ガス吸引具本体１０に着脱可能に取り付けられる吸い口部本体６０について、図１及び図６を参照して説明をする。
吸い口部本体６０は、この水素ガス吸引具本体１０に取り付けて、水素ガス吸引具本体１０で発生した水素ガスを吸引する際に、口で咥えて使うためのもので、水素ガス吸引具本体１０に着脱自在に取り付けられることにより、自由に取り替えができるものである。
【００７０】
具体的には、図６に示すように、吸い口部本体６０は、吸い口６１ａを有する筒状部６１と、略円板状の基体部６２と、Ｌ字状の係合溝６３ａを有する係合部６３と、から構成されている。
吸い口６１ａを有する筒状部６１は、口で咥えやすくするために先端に行くにしたがって先細りの楕円形状となっており、筒状部６１を口で咥えて、息を吸い込むと、吸い口６１ａから水素ガス（空気との混合ガス）が流れ込むようになっている。
【００７１】
また、筒状部６１と基体部６２との接続部６１ｂは、Ｒ形状となっており、吸い口部本体６０に付着した汚れ等を簡単に拭き取ることができるように配慮されている。
なお、吸い口部本体６０は、抗菌剤ＡＢＳで形成されていることが好ましい。
また、吸い口部本体６０の係合部６３は、外部ケース３２の環状保持部３２ｂの内側にはめ込まれるようになっており、係合部６３の係合溝６３ａが外部ケース３２の環状保持部３２ｂ内周部の係合突部（図示略）と係合することで、カートリッジ保持部３０に吸い口部本体６０が固定されるものである。
【００７２】
（キャップ部４０の構造）
次に、キャップ部４０の構造について、図３を参照して説明する。
キャップ部４０は全体として円筒状に形成されたもので、携帯時には、水素ガス吸引具本体１０に取り付けられて吸い口部本体６０を覆ってこれを保護し、使用時には、筒状蓋体部２０の空気流入孔２２ａのある段部２２に取り付けられて、市販のタバコを保持するものである。
【００７３】
また、キャップ部４０の上部に開口する内側には、吸い口部本体６０の外形に沿った形態をした段部４１が設けられ、下部に開口する内側には、タバコの吸い口部分（フィルター部分など）が差し込まれて保持される保持孔４０ｂが設けられている。
キャップ部４０の上部にある段部４１は、吸い口部本体６０の基体部６２の形に沿った形態のお椀型をした第１の段部４１ａと、筒状部６１が差し込まれる差し込み孔４０ａを形成する第２の段部４１ｂとから構成されており、第１の段部４１ａの内周面には、筒状蓋体部２０の段部２２に形成された環状凸部２２ｂがはめ込まれる環状溝４１ｃが形成されている。
【００７４】
なお、第２の段部４１ｂの差し込み孔４０ａは、細い径のタバコの吸い口部分（フィルター部分など）を保持する保持孔を兼用しており、これにより、市販のほとんどのタバコをこの水素ガス吸引具につけて吸うことができる。
具体的には、キャップ部４０の下方に位置する保持孔４０ｂは、例えば、標準タイプ用（φ８ｍｍ）の大きさとされ、第２の段部４１ｂの差し込み孔４０ａは、スリムタイプ用（φ５ｍｍ）の大きさとされるものである。
また、キャップ部４０の各保持孔４０ａ、４０ｂには、滑り止めとして、例えば半球状の突部や摩擦係数の高いゴム等の薄膜を設けて、タバコ等を抜けにくくするようにしてもよい。
【００７５】
また、キャップ部４０の上端面４０ｃには環状の差し込み溝４０ｄが形成されており、この差し込み溝４０ｄには、キャップ部４０を筒状蓋体部２０の先端に取り付けた時に、キャップ部４０と筒状蓋体部２０との隙間から空気が入らないように気密性パッキン材２４がはめ込まれている。これにより、水素ガスを吸引する際に空気流入孔２２ａのみから空気が流入することとなり、適度な吸い込みの抵抗が与えられるとともに、タバコの煙が漏れないように配慮されている。
なお、気密性パッキン材２４としては、例えばＡＢＳ樹脂（アクリロニトリル・ブタジエン・スチレン樹脂）とシリコーンとを一体成型したリング状のもの等を用いることができる。
【００７６】
また、上記によりキャップ部４０の紛失を防ぐこともできるとともに、キャップ部にタバコ等を付けることにより、無味無臭の水素ガスを吸引するのと同時にタバコ等の香味を味わうことができるため、水素ガスの吸引を飽きることなく継続して続けることができる。
【００７７】
（カートリッジ５０の構造）
次に、この水素ガス吸引具本体１０に用いられるカートリッジ５０の具体的構造について、図４を参照して説明する。
このカートリッジ５０は、吸引１回分の水素ガスを発生させる量の水素ガス発生材５２と、この水素ガス発生材５２と反応させて水素ガスを発生させる反応液５４とを分離収納させたもので、携帯時には、これらが反応せず安全に持ち運ぶことができ、使用時には、水素ガス吸引具本体１０に充填して水素ガスを発生させ、使用後は使い捨てされるものである。
【００７８】
カートリッジ５０は樹脂等により筒状に形成されており、水素ガス発生材５２が収納された水素ガス発生材収納部５１と、使用時に水素ガス発生材５２と反応して水素ガスを発生させる反応液５４が収納された反応液収納部５３と、これら水素ガス発生材収納部５１と反応液収納部５３との間に設けられた隔壁５５とを主体として構成されている。
【００７９】
水素ガス発生材収納部５１は、カートリッジ保持部３０の充填用差し孔３３ａに差し込まれる形態をした筒状外殻体とされ、この筒状外殻体には、図４（ｃ）に示すように、ガイドピン３５を挿入する挿入孔５１ｄと、挿入孔５１ｄを中心にして、その左右に位置し、かつ挿入孔５１ｄに連通する水素ガス発生材収納孔５１ａ、５１ｂが設けられている。
【００８０】
水素ガス発生材収納部５１となる筒状外殻体は、内部ケース３３に収まる大きさに形成されたもので、外形が内部ケース３３の内面に当接する左右の円弧状部５１ｃと、円弧がカットされた形態の水平面部５１ｈとを有する四角柱状とされ、その上端には、反応液収納部５３が差し込まれる円筒状取付部５１ｋが設けられている。この取付部５１ｋは外面が上方に行くにしたがってすぼまる形態のテーパー状になっており、この取付部５１ｋのテーパー面の付け根には、環状凸部５１ｍが設けられている。
【００８１】
実施例では、筒状外殻体に水平面部５１ｈが設けられることにより、これを内部ケース３３に組み入れた際に、内部ケース３３との間に水素ガスの貯留空間が形成され、水素ガス発生材収納部５１で発生した水素ガスが内部ケース３３内に十分貯留され、水素ガスを途切れることなく吸引することができる。
【００８２】
また、内部ケース３３との間の貯留空間に溜まった水素ガスを吸引しやすくするために水平面部５１ｈには、ガイド溝５１ｆが筒状外殻体の長さ方向に沿って形成されている。
【００８３】
一方、図４（ｃ）に示すように、筒状外殻体の内部に形成された挿入孔５１ｄと水素ガス発生材収納孔５１ａ、５１ｂとの間には、これらを連通するスリット５１ｇが形成されており、ガイドピン３５の先端部３５ａがこのスリット５１ｇに挿入されるようになっている。
また水素ガス発生材収納孔５１ａ、５１ｂ（第１収納孔５１ａ、第２収納孔５１ｂ）の内部には、各収納孔５１ａ、５１ｂを二つに区画するように突部５１ｅが挿入孔５１ｄに向けて突出形成されている。これにより、水素ガス発生材５２の収納孔５１ａ、５１ｂ内には前後左右に後述の球状をした水素ガス発生材５２が上下方向に整列して積み重ねられるように収められ、ガイドピン３５の先端部３５ａをスリット５１ｇに挿入した際に、ガイドピン３５の先端部３５ａが水素ガス発生材５２に当たってカートリッジ５０挿入時の抵抗を少なくするように配慮されている。
【００８４】
また、水素ガス発生材収納部５１を構成する筒状外殻体の下端内面には、図４（ｂ）に示すように、収納孔５１ａ、５１ｂの蓋となる取付蓋５８を納める収納溝５１ｐが形成されている。
【００８５】
次に、反応液収納部５３について図４（ａ）を参照して説明すると、この反応液収納部５３は、全体の形状としては、水素ガス発生材収納部５１の筒状外殻体と同様に外形が筒状蓋体部２０の内面に当接する左右の円弧状部５３ａと、円弧がカットされた形態の水平面部５３ｂとを有する四角柱状に形成された天板５３ｃ付のキャップのような形態をなしている。
そして、反応液収納部５３の下側には、水素ガス発生材収納部５１の円筒状取付部５１ｋに被せられるように円筒状をした取付部５３ｄが設けられている。
【００８６】
実施例では、この反応液収納部５３の取付部５３ｄの内面に水素ガス発生材収納部５１の円筒状取付部５１ｋが挿入され、レーザー溶着あるいは超音波溶着等によってこれらが一体に取り付けられ、カートリッジ５０を一体に構成するものである。
【００８７】
なお、反応液収納部５３は隔壁５５によって蓋がされるようになっており、反応液収納部５３の外殻部と隔壁５５によって囲まれた内部に反応液５４が密閉されて納められるようになっている。
【００８８】
また、水素ガス発生材収納部５１と反応液収納部５３との間に設けられた隔壁５５は、水素ガス発生材収納部５１の円筒状取付部５１ｋの基端内面に位置して設けられており、この隔壁５５の中心位置には、略Ｘ状の溝５６が形成されている。
【００８９】
この溝５６は、水素ガス発生材収納孔５１ａ、５１ｂに達する長さに形成された主溝部５６ａ、５６ｂと、挿入孔５１ｄの径方向に延びる副溝部５６ｃと、を有し、Ｘ字の中心部５６ｄは、これらの溝部５６ａ、５６ｂ、５６ｃに亀裂を入れやすくするために隔壁の中でも特に薄く形成されている。
【００９０】
また、水素ガス発生材収納部５１の蓋となる取付蓋５８について説明すると、図４（ｂ）に示すように、この取付蓋５８は、水素ガス発生材収納部５１の筒状外殻体の断面形状に沿って形成されており、水素ガス発生材収納部５１の下端にはめ込まれて固定される。
【００９１】
この取付蓋５８には、ガイドピン３５が挿入される挿入孔５８ａと、水素ガス発生材収納部５１内で発生した水素ガスを外部に出すための吐出孔５８ｂが設けられ、内部で発生した水素ガスは、吐出孔５８ｂと挿入孔５８ａから外部に吐出されるようになっている。
【００９２】
なお、図４（ｂ）により、水素ガス発生材収納部５１について、説明を補足しておくと、図示例では、水素ガス発生材収納部５１の長さＬ２は、隔壁５５までの長さを表し、水素ガス発生材収納部５１を構成する筒状外殻体の長さＬ３よりも短くなっている。
そして、水素ガス発生材収納部５１の長さＬ２は、ガイドピン３５の長さＬ１よりも短く設定されている（図２参照。）。
【００９３】
なお、カートリッジ５０を構成する各部材は、反応液５４や化学反応時の反応熱等に対する耐性があれば特に限定されないが、例えばポリプロピレン（ＰＰ）が挙げられる。
また、カートリッジ５０内には、一例として、水素ガス発生材５２が１０個（第１収納孔５１ａ及び第２収納孔５１ｂにそれぞれ５個ずつ）、反応液５４が１．５ｃｍ３程度収納され、１個のカートリッジ５０で１０分程度、８０ｍＬ（標準状態）の水素ガスが発生するように設計されている。水素ガス発生材５２は、球状に固形化され、直径が３．５〜４．０ｍｍ程度となっている。
【００９４】
使用後の反応液５４は、反応終了後に固化（ゲル化）するようになっており、カートリッジ５０廃棄時に内部液が漏出しにくいようになっている。また、固化することで、残存液による水素反応の暴発を防止することができる。
なお、反応液５４中には、香料成分を含ませていてもよい。香料成分をカートリッジ５０と一体化することで、継続的に香味を感じることができ、また、廃棄する部品が増えることもないため、環境にも良い。
【００９５】
（中空糸膜フィルター７０の構造）
次いで、吸い口部本体６０とカートリッジ５０との間に装着された中空糸膜フィルター７０について図８及び図９を参照して説明する。
【００９６】
中空糸膜フィルター７０は、水素ガス吸引具本体１０と吸い口部本体６０との間に介在されて水素発生時に吸引側に反応液５４が漏出しないようにするためのもので、吸い口部本体６０側に気体のみ通すために取り付けられるものである。
実施例では、図９に示すように、中空糸膜７３を保持する筒状部７１と、この筒状部７１に保持された中空糸膜７３を上から抑えて固定する蓋部７２とから構成されている。
筒状部７１には、中空糸膜７３を載せる上板７１ａが設けられ、この上板７１ａには、中空糸膜７３を通過してきた気体を通す通気孔７１ｂが形成されている。
また、筒状部７１の上板７１ａの上側であって筒状部７１の内側には、蓋部７２が差し込まれる取付孔７１ｃが設けられている。
【００９７】
中空糸膜７３を筒状部７１との間で挟んで抑える蓋部７２は、取付孔７１ｃに収まる形態をした段部７２ａを備えた蓋部本体７２ｂと、この蓋部本体７２ｂの中央部に立設されて蓋部７２をつまむための把持部７２ｃとから構成されており、蓋部本体７２ｂには、蓋部７２の表裏に開口するガス通孔７２ｄが把持部７２ｃの左右に位置して設けられている。
【００９８】
なお、筒状部７１は、外部ケース３２の環状保持部３２ｂの内側に納められる大きさに形成されており、図２に示すように環状保持部３２ｂと底板部３７の突出部３７ｃとの間に形成された溝の中に押し込むことにより納まり、吸い口部本体６０によって抜け止めがされるものである。
【００９９】
このように構成された中空糸膜フィルター７０は、筒状部７１の上板７１ａに中空糸膜７３を配置し、この中空糸膜７３を蓋部７２で抑えて組み立てられるもので、蓋部７２に設けた把持部７２ｃを指でつまんで着脱操作をするものである。
なお、中空糸膜７３としては、ＰＴＦＥ（四フッ化エチレン樹脂）等からなるものを使用できる。
【０１００】
（水素ガス発生材及び反応液）
次に、カートリッジ５０に充填される水素ガス発生材５２と反応液５４とについて説明する。
水素ガス発生材５２は、マグネシウム紛体（Ｍｇ）及びアルミニウム（Ａｌ）紛体から選択される少なくとも１種を含む金属紛体Ａと、当該金属紛体Ａよりもイオン化傾向の小さい金属紛体Ｂとの混合物から構成されている。
【０１０１】
マグネシウム及びアルミニウムよりもイオン化傾向の小さい金属としては、例えば、銅（Ｃｕ）、鉄（Ｆｅ）、ニッケル（Ｎｉ）、白金（Ｐｔ）等が挙げられるが、安定性、汎用性の点から、銅であることが好ましい。マグネシウムに付着させる金属が銅であれば、保管中又は造粒中等に腐食してしまうことがない。
【０１０２】
以下では、水素ガス発生材５２として、少なくともマグネシウム紛体と銅紛体との混合物から構成されるマグネシウム混合物を例にとって、水素ガスが発生する機構について説明する。
【０１０３】
銅が付着したマグネシウムを電解質水溶液に接触させると、Ｍｇ部がアノード（陽極）、Ｃｕ部がカソード（陰極）に分極し、マグネシウムの腐食（電気化学的腐食：水素発生型）が加速される。
Ｍｇ部及びＣｕ部では、それぞれ以下のような化学反応が起こっている。
【０１０４】
Ｍｇ表面（陽分極）：Ｍｇ→Ｍｇ２＋＋２ｅ−
Ｃｕ表面（陰分極）：２Ｈ２Ｏ＋２ｅ−→Ｈ２＋２ＯＨ−
【０１０５】
銅が水素発生ポイント（活性点）となるため、銅付着量が水素発生能力を左右する。水素発生速度は、マグネシウムの表面積とマグネシウムの単位表面積あたりの銅活性点の存在率に相関する。マグネシウムの単位表面積あたりの銅活性点が多いほど、水素発生能力（速度）は向上する。
【０１０６】
水素発生量は、マグネシウムの質量に比例する。例えば、
Ｍｇ：１ｍｏｌ（２４．３ｇ）⇒Ｈ２：１ｍｏｌ（２２．４Ｌ（標準状態、ｍａｘ））
Ｍｇ：０．１ｇ⇒Ｈ２：９２ｍｌ（標準状態、ｍａｘ）
Ｍｇ：０．１５ｇ⇒Ｈ２：１３８ｍｌ（標準状態、ｍａｘ）
となる。
【０１０７】
銅活性点の存在率は、マグネシウムに対する銅の含有量に相関すると考えられるので、混合比率（質量％）を指標とする。
銅の含有量は、マグネシウム及び銅の総質量（１００質量％）に対し、０．１〜５．０質量％の範囲内であり、好ましくは０．５〜３．０質量％の範囲内である。０．１質量％未満では、水素発生速度が遅く実用的でない。５．０質量％より大きいと、水素発生速度がそれ以上速くならず実用的でない。
【０１０８】
マグネシウム紛体と銅紛体との混合物から構成されるマグネシウム混合物を球状に成形して、水素発生試験を実施した。球状混合物０．４ｇ（１０粒）に対し、１０質量％ＮａＣｌ水溶液を添加した。
１０質量％ＮａＣｌ水溶液添加後、数秒で水素発生が始まり、約３０秒以内に球状のマグネシウム混合物は崩壊し水素発生反応が激しくなった。さらに、反応熱による温度上昇に伴い水素発生量は多くなり、４〜５分でピークとなり、その後水素発生量は少なくなった。
水素発生量は、５分間で１００ｍＬであった。
【０１０９】
反応が終了し温度が低下すると、反応液５４は固化する。すなわち、カートリッジ５０を取り外しても液が外部に漏れだすことはない。上記の例において、反応残留物は、Ｍｇ（ＯＨ）２、Ｃｕ粉、ＮａＣｌ、無機バインダーであり、有害物質はない。カートリッジ５０を取り外した後、銅の一部（又は全部）は継時的に水酸化銅に変化するが、水酸化銅も無害である。
【０１１０】
なお、マグネシウム紛体及び銅紛体の混合物（水素ガス発生材５２）と反応液５４との割合について検討したところ、反応液５４の体積が、水素ガス発生材５２を構成するマグネシウム紛体（金属紛体Ａ）０.１ｇに対して、１.５ｃｍ３以下に設定されていることが好ましいことが分かった。
反応液５４の体積が、水素ガス発生材５２を構成する金属紛体Ａ０.１ｇに対し、１.５ｃｍ３以下の反応液では、金属紛体Ａと金属紛体Ｂとの混合物は、その粘度を下げることなく、ゲル化し、反応液５４が液体として、あるいは粘性の低い流体としてカートリッジ５０内に残ることがなく、カートリッジ５０を取り出しても、カートリッジ５０から反応した混合物の残渣が漏れ出ることがなかった。
反応液５４の体積を、水素ガス発生材５２を構成する金属紛体Ａ０.１ｇに対し、１.５ｃｍ３より大きくすると、金属紛体Ａと金属紛体Ｂとの混合物は、粘度が下がり、カートリッジ５０から混合物の残渣と一部反応液５４の液体が漏れ出てしまうことが分かった。
【０１１１】
（カートリッジの組立）
前述した水素ガス発生材５２と反応液５４とは、カートリッジ５０の水素ガス発生材収納部５１と反応液収納部５３とに収納されて保持される。
これらの組立は、例えば次のようにして行われる。
【０１１２】
まず、水素ガス発生材５２は、球状に加工されて、水素ガス発生材収納部５１の収納孔５１ａ、５１ｂ内に入れられる。この際、収納孔５１ａ、５１ｂは突部５１ｅにより、内部が前後二つに区画された形態となっているので、球状の水素ガス発生材５２を各収納孔５１ａ、５１ｂ内の区画された空間に必要量入れる。
そして、必要量の水素ガス発生材５２を納めたならば、取付蓋５８を嵌めて水素ガス発生材５２が落ちないようにする。
この取付蓋５８の取り付けは、例えば、熱かしめなどの手段により固定する。
反応液５４は必要量を測り、反応液収納部５３に充填して蓋をするものである。
【０１１３】
（使用方法）
以下、水素ガス吸引装置１の使用方法について説明する。
携帯時には、カートリッジ５０を抜いた状態で、例えば図１（ａ）に示すように、カートリッジ保持部３０の吸い口部側に吸い口部本体６０を取り付けた状態としてキャップ部４０を、吸い口部本体６０を覆うように差し込んで固定し、カートリッジ５０の充填側に筒状蓋体部２０を取り付けて円筒状に水素ガス吸引具本体１０を組み立てておく。
この際、吸い口部本体６０と水素ガス吸引具本体１０との間には、中空糸膜フィルター７０を装着しておく。
【０１１４】
中空糸膜フィルター７０の取り付けは、中空糸膜７３を筒状部７１との間で挟んで抑える蓋部７２の把持部７２ｃをつまみ、筒状部７１をカートリッジ保持部３０の環状保持部３２ｂと底板部３７の突出部３７ｃとの間に形成された溝の中に押し込むことにより行う。
このように円筒状に水素ガス吸引具本体１０を組み立てておくことによって、携帯に都合が良く、また、キャップ部４０によって吸い口部本体６０全体が覆い隠されるため、吸い口部本体６０が携帯時に取れるようなことはなく、また衛生的に保管することができる。
【０１１５】
水素ガスを吸引する場合は、まず、カートリッジ保持部３０を右手の親指と人差し指とで保持しつつ、筒状蓋体部２０を左手でつまみ、周方向に沿って回転させることで筒状蓋体部２０とカートリッジ保持部３０との固定を解除し、筒状蓋体部２０を取り外す。
【０１１６】
次いで、交換用のカートリッジ５０の反応液収納部５３の水平面部５３ｂを左手の親指と人差し指でつまみ、カートリッジ５０の水素ガス発生材収納部５１にある挿入孔５１ｄにガイドピン３５の先端部３５ａを差し込み、カートリッジ保持部３０の充填用差し孔３３ａにカートリッジ５０の水素ガス発生材収納部５１を挿入していく。
この時、ガイドピン３５の先端部３５ａはへら状に形成されているので、この先端部３５ａは挿入孔５１ｄに連通するスリット５１ｇに合わせて挿入されていく。
ガイドピン３５の先端部３５ａは球状の水素ガス発生材５２の間を通過するため、カートリッジ５０挿入時の抵抗はほとんどなく、ガイドピン３５に沿ってカートリッジ５０を案内することができる。
この操作によって、カートリッジ５０は、ガイドピン３５に案内されつつカートリッジ保持部３０を構成する内部ケース３３内に差し入れられるので、カートリッジ５０の充填操作が楽になるという効果がある。
【０１１７】
次いで、カートリッジ５０を内部ケース３３の一番奥まで差し込むと、ガイドピン３５が、水素ガス発生材５２と反応液５４とを分離収納するカートリッジ５０内の隔壁５５を貫通してこれを破り、反応液収納部５３内に充填されている反応液５４が水素ガス発生材収納部５１に流れ込み、水素ガス発生材５２と反応液５４とが電気化学的に反応して水素ガスが発生する。
なお、カートリッジ５０を充填する際、カートリッジ５０の隔壁５５にガイドピン３５の先端部３５ａが一度当たり、更に押し込むことによって隔壁５５を貫通するため、カートリッジ５０の差し込み充填が手の感触として分かり、カートリッジ５０の充填を確実に認識できる利点がある。
また、ガイドピン３５でカートリッジ５０の隔壁５５を破る際、隔壁５５は、水素ガス発生材収納孔５１ａ、５１ｂに達する長さに形成された主溝部５６ａ、５６ｂと、挿入孔５１ｄの径方向に延びる副溝部５６ｃと、を有し、また、Ｘ字の中心部５６ｄは、これらの溝部５６ａ、５６ｂ、５６ｃに亀裂を入れやすくするために隔壁５５の中でも特に薄く形成されているため、ガイドピン３５の先端部３５ａがへら状になっていても、大きな抵抗なくガイドピン３５を貫通することができる利点がある。
【０１１８】
カートリッジ５０を奥まで充填すると、カートリッジ５０内では、隔壁５５に設けられた溝５６に沿って反応液５４が万遍なく水素ガス発生材収納部５１内に区画された各収納孔５１ａ、５１ｂ内に流れ込み、収納孔５１ａ、５１ｂ内に納められた水素ガス発生材５２に反応液５４が接触するため、水素ガスが一気に発生することになる。
次いで、カートリッジ保持部３０に筒状蓋体部２０を装着し、キャップ部４０を筒状蓋体部２０の天板２１側に取り付ける。
最後に、水素ガス吸引具本体１０を、タバコを吸うようにして指で挟み、吸い口部本体６０を口で咥え、息を吸うと、例えば図７矢印Ａに示すように、筒状蓋体部２０の空気流入孔２２ａから水素ガス吸引具本体１０の内部に空気が流れ込み、その空気がカートリッジ５０で発生した水素ガス（図７矢印Ｈ）とともに混合ガスとなって、図７矢印Ｍに示すように、口内（体内）に吸引されることとなる。
【０１１９】
この操作は、水素ガス吸引具本体１０に水素ガスの発生材である原料を収納したカートリッジ５０を装着し、吸い口部本体６０を咥えて水素ガスを吸うという簡単な操作であり、また、水素ガスの吸い方も、通常のタバコを吸う場合と同様の吸い方であり、携帯に適した水素ガス発生装置を提供できる効果がある。
【０１２０】
また、水素ガスを発生させるカートリッジ５０を充填する操作も、カートリッジ５０をカートリッジ保持部３０を構成する内部ケース３３の充填用差し孔３３ａに沿って押し込む操作でよく、この操作で、内部ケース３３内にあるガイドピン３５がカートリッジ５０の隔壁５５が貫通することにより、反応液５４が収納孔５１ａ、５１ｂに流れ込み、水素ガス発生材５２と反応し水素ガスを発生させることができる。
そして、吸い口部本体６０を口で咥えて、タバコを吸うのと同じように水素ガスを吸引し得て、水素ガス吸引装置をより身近にすることができる。
そして、このようにカートリッジ５０の装着が容易であれば、カートリッジ５０内には、例えば１回分などの必要量だけの水素ガス発生材５２及び反応液５４が収納されていればよいため、水を電気分解するような大がかりな装置が必要とならずコンパクトにでき、携帯性に優れ、また、場所を選ばず水素ガスを吸引することができる。
なお、使用済みカートリッジ５０の交換は、カートリッジ５０の反応液収納部５３の水平面部５３ｂを左手の親指と人差し指でつまみ、ガイドピン３５に沿って引き抜けば良い。この際、カートリッジ５０内の水素ガス発生材５２は全て反応してゲル状となっており、反応液５４が外部に漏れることはない。
水素ガスの吸引を終えた後は、キャップ部４０を再度吸い口部本体６０を覆うようにしてカートリッジ保持部３０側に取り付ける。この際、水素ガス吸引装置１内の使用済みカートリッジ５０を取り外して廃棄してもよい。
【０１２１】
〔変形例〕
なお、本発明を適用可能な実施形態は、上述した実施形態に限定されることなく、本発明の趣旨を逸脱しない範囲で適宜変更可能である。以下、変形例について説明する。以下に挙げる変形例は可能な限り組み合わせてもよい。
【０１２２】
〔変形例１〕
図１０は、吸い口部本体６０を覆ってこれを保護するキャップ部４０の変形例を示すもので、図１０に示すキャップ部４００は、標準タイプのタバコを保持する保持孔４００ｂを一つだけ備えたもので、全体として円筒状に形成されている。
キャップ部４００の上側内部には、筒状蓋体部２０の天板２１側の段部２２の環状凸部２２ｂに係合してキャップ部４００を固定する爪部４００ｅが設けられるとともに、気密性パッキン材２４０が取り付けられている。
【０１２３】
〔変形例２〕
図１１は、水素ガス発生材５２を収納するカートリッジ５０の変形例を示すもので、図１１に示すカートリッジ５１０は、水素ガス発生材収納部５１の内部形態を変形したものである。
図１１に示すカートリッジ５１０の水素ガス発生材収納部５１は、水素ガス収納孔５１ａ、５１ｂにそれぞれ突出して設けた突部５１０ｅを中心位置から一部ずらして配置したもので、水素ガス収納孔５１ａ、５１ｂの一方の空間を大きくして大径の水素ガス発生材５２を納めることができるようにしたものである。
そして、水素ガス収納孔５１ａ、５１ｂの他方の小さい空間に面して一条の主溝部５６ｂを備えた貫通用の溝５６０を隔壁５５に形成したものである。
なお、図４（ｃ）と同一の構成要素には同一の符号を付し、その説明を省略する。
本変形例によれば、水素ガス収納孔５１ａ、５１ｂの一方の空間が大きくなっているので、大径の水素ガス発生材５２を収納することにより、水素ガス発生材５２の数を減らして、カートリッジ５０への水素ガス発生材５２の充填時間を短くできる効果がある。
【０１２４】
〔変形例３〕
図１２は、ガイドピン３５の先端部３５ａの変形例を示すもので、図１２に示すガイドピン３５０は、先端が三つの突起３５０ａからなる三つ又形状をしており、三つの尖った突起３５０ａによって、隔壁５５に形成した溝５６あるいは溝５６０をより簡単に貫通することができる利点がある。
【０１２５】
〔変形例４〕
本変形例の水素ガス吸引装置１００は、図１３〜図１６に示すように、水素ガス発生材１５２と反応液とを分離収納するカートリッジ１５０を内部に充填可能に保持する水素ガス吸引具本体１１０と、水素ガス吸引具本体１１０に着脱可能に取り付けられる吸い口部本体１６０と、水素ガス吸引具本体１１０に着脱自在に取り付けられるキャップ部１４０と、を備えている。
また、吸い口部本体１６０とカートリッジ１５０との間には、中空糸膜を備え、水素ガス吸引具本体１１０と吸い口部本体１６０との間に介在されて水素発生時に吸引側に反応液が漏出しないようにし、かつ、吸い口部本体１６０側に気体のみ通すために取り付けられる中空糸膜フィルター１７０が装着されている。
なお、図１５に示す符号１７４は、後述する外部ケース１３２と、吸い口部本体１６０と、中空糸膜フィルター１７０とのジョイントに用いられるジョイント部１７４を指している。
【０１２６】
水素ガス吸引具本体１１０は、交換可能なカートリッジ１５０を抜き差し自在に保持するカートリッジ保持部１３０と、このカートリッジ保持部１３０に着脱自在に取り付けられ天板１２１に外部から空気を取り込む空気流入孔１２２ａを有する筒状蓋体部１２０とから構成されている。
【０１２７】
カートリッジ保持部１３０は、カートリッジ１５０の充填用差し孔１３３ａを有する内部ケース１３３及び充填用差し孔１３３ａとは反対の位置に設けられて、吸い口部本体１６０を取り付ける取付部１３２ａを有する外部ケース１３２の２層構造からなる筒状本体１３１と、この筒状本体１３１の底板を構成する底板部１３７と、この底板部１３７に立設され、カートリッジ１５０を内部ケース１３３に沿って充填用差し孔１３３ａに案内するガイドピン１３５と、から構成されている。
なお、底板部１３７には、図示しない空気流入孔が形成され、その空気流入孔に臨む位置には、逆止弁１３６が設けられている。逆止弁１３６は、吸い口部本体１６０の吸い口１６１ａ側から息を吹いた際に、底板部１３７の空気流入孔を塞ぎ、息が水素ガス吸引具本体１１０内に入ることを防ぐ弁体を有する。
【０１２８】
カートリッジ１５０は、吸引１回分の水素ガスを発生させる量の水素ガス発生材１５２と、この水素ガス発生材１５２と反応させて水素ガスを発生させる反応液とを分離収納させたもので、携帯時には、これらが反応せず安全に持ち運ぶことができ、使用時には、水素ガス吸引具本体１１０に充填して水素ガスを発生させ、使用後は使い捨てされるものである。
なお、カートリッジ１５０の構成材料は、反応液や化学反応時の反応熱等に対する耐性があれば特に限定されないが、例えばポリプロピレン（ＰＰ）が挙げられる。
【０１２９】
カートリッジ１５０は樹脂等により筒状に形成されており、水素ガス発生材１５２（後述するケース材１８０）が収納された水素ガス発生材収納部１５１と、使用時に水素ガス発生材１５２と反応して水素ガスを発生させる反応液が収納された反応液収納部１５３と、これら水素ガス発生材収納部１５１と反応液収納部１５３との間に設けられた隔壁１５５とを主体として構成されている。
なお、反応液収納部１５３は、上記の実施形態における反応液収納部５３と同様に構成されている。また、反応液は、カートリッジ１５０使用前において、反応液収納部１５３に収納されるのはもちろんのこと、水素ガス発生材収納部１５１における内部空間のうち隔壁１５５よりも反応液収納部１５３側にも収納される。つまり、反応液収納部１５３の内部空間と、水素ガス発生材収納部１５１における内部空間とで、反応液が収納される収納空間を形成しており、当該収納空間には、必要量の反応液が収納される。
また、隔壁１５５は、主溝部１５６ｂと、この主溝部１５６ｂと交差する副溝部１５６ｃからなる溝部１５６を有する。溝部１５６は、ガイドピン１３５によって突き破られる位置に形成されており、隔壁１５５における他の部位に比して特に薄く形成されている。
【０１３０】
水素ガス発生材収納部１５１は、カートリッジ保持部１３０の充填用差し孔１３３ａに差し込まれる形態をした筒状外殻体とされ、この筒状外殻体には、ガイドピン１３５を挿入する挿入孔１５１ｄと、挿入孔１５１ｄを中心にして、その左右に位置し、かつ挿入孔１５１ｄに連通する水素ガス発生材収納孔１５１ａ、１５１ｂが設けられている。
水素ガス発生材収納孔１５１ａ，１５１ｂは、挿入孔１５１ｄよりも大きな孔とされており、これら挿入孔１５１ｄと、水素ガス発生材収納孔１５１ａ，１５１ｂは、一体形成された状態となっている。
【０１３１】
水素ガス発生材収納部１５１となる筒状外殻体は、内部ケース１３３に収まる大きさに形成されたもので、外形が内部ケース１３３の内面に当接する左右の円弧状部１５１ｃと、円弧がカットされた形態の水平面部１５１ｈとを有する四角柱状とされ、その上端には、反応液収納部１５３が差し込まれる円筒状取付部１５１ｋが設けられている。この取付部１５１ｋは外面が上方に行くにしたがってすぼまる形態のテーパー状になっており、この取付部１５１ｋのテーパー面の付け根には、環状凸部１５１ｍが設けられている。
環状凸部１５１ｍは、カートリッジ１５０を充填用差し孔１３３ａに差し込み、ガイドピン１３５に沿って内部ケース１３３の奥までカートリッジ１５０を押し込んだ際に、内部ケース１３３の端部（筒状蓋体部１２０側の端部）に接する。
【０１３２】
ガイドピン１３５は、底板部１３７と一体形成され、当該底板部１３７から反応液収納部１５３に向かって突出し、その先端部１３５ａは、二つの突起からなる二又形状をしており、二つの尖った突起によって、隔壁１５５に形成された溝１５６を貫通することができる。
ガイドピン１３５は、カートリッジ１５０を充填用差し孔１３３ａに差し込み、ガイドピン１３５に沿って内部ケース１３３の奥までカートリッジ１５０を押し込んだ際に、ガイドピン１３５の先端部１３５ａが隔壁１５５に達し、隔壁１５５を貫通する長さとなるように設定されている。
本変形例では、図１３に示すように、ガイドピン１３５の先端までの長さＬ１´（図示例では、ガイドピン１３５の付け根から先端までの長さ）は、カートリッジ１５０の隔壁１５５までの長さＬ２´（図示例ではガイドピン１３５の付け根に対応する位置から隔壁１５５までの長さ）よりも長く設定されている。
【０１３３】
ガイドピン１３５の長さとその周囲の各部の長さとの関係について、より詳細に説明すると、水素ガス発生材収納部１５１の長さ（すなわち、筒状外殻体の長さ：円筒状取付部１５１ｋ先端までの長さ）は、ガイドピン１３５の長さＬ１´よりも長く設定されている。
また、ガイドピン１３５の長さＬ１´は、筒状外殻体内部の水素ガス発生材収納孔１５１ａ，１５１ｂの長さＬ２´（すなわち、隔壁１５５までの長さＬ２´）よりも長く設定されている。
換言すれば、ガイドピン１３５は、先端部１３５ａが、内部ケース１３３の端部（筒状蓋体部１２０側の端部）を越えて外側（反応液収納部１５３側）に突出しない長さＬ２´に設定されている。
また、本変形例におけるガイドピン１３５は、上記の実施形態におけるガイドピン３５よりも短く設定されている。また、本変形例における隔壁１５５は、上記の実施形態における隔壁５５よりも、吸い口部本体１６０側に寄せられて配置されている。そのため、ガイドピン１３５によって、隔壁１５５に形成された溝部１５６を確実に突き破ることができるようになっている。
【０１３４】
なお、ガイドピン１３５は、カートリッジ１５０をカートリッジ保持部１３０（充填用差し孔１３３ａ）から取り外した際に視認できるので、見栄え向上のため、その表面色が、水素ガス発生材収納部１５１側に流れ込んだ反応液の乾燥痕と同系色であることが望ましい。
【０１３５】
水素ガス発生材収納部１５１に収納される水素ガス発生材１５２は、図１３，図１６〜図１９に示すように、ケース材１８０に封入されている。
より詳細に説明すると、ケース材１８０は、水素ガス発生材収納孔１５１ａ，１５１ｂに装填されるものであり、水素ガス発生材１５２が収納されている。そして、このようなケース材１８０は、収納凹部１８１と、被膜１８２と、を備えており、水素ガス発生材収納孔１５１ａ，１５１ｂに対応して長尺に形成されている。また、ケース材１８０は、ポリプロピレンなどの樹脂により構成されている。
【０１３６】
収納凹部１８１は、ケース材１８０に形成された溝状の部位を指し、一面側が開口している。すなわち、ケース材１８０は、開口１８１ａを有している。水素ガス発生材１５２は、開口１８１ａから収納凹部１８１内に収納される。
ここで、上記の実施形態における水素ガス発生材５２が球状であるのに対し、本変形例における水素ガス発生材１５２は、粉末状とされている。そのため、造粒するための手間やコストを軽減できるとともに、収納凹部１８１に収納しやすいという利点がある。
また、ケース材１８０の本体部は、開口１８１ａの有る第一面１８０ａと、第一面１８０ａの一側縁から垂直に配置される第二面１８０ｂと、第一面１８０ａの他側縁から湾曲して配置される第三面１８０ｃと、第二面１８０ｂと第三面１８０ｃとを繋ぐ第四面１８０ｄと、長さ方向両端部に位置する第五面１８０ｅと、を有する。
収納凹部１８１は、ケース材１８０の本体部に対し、第一面１８０ａのみに開口するようにして形成されている。
なお、水素ガス発生材１５２は、収納凹部１８１の擦り切りまで収納されている。
【０１３７】
被膜１８２は、収納凹部１８１における開口１８１ａを閉塞し、反応液を収納凹部１８１内に浸透可能とするとともに収納凹部１８１内で発生した水素ガスを通過可能とする膜材である。本変形例における被膜１８２には、不織布が採用されている。
被膜１８２は、ケース材１８０の本体部における第一面１８０ａに溶着され、これにより開口１８１ａを閉塞できるようになっている。すなわち、粉末状の水素ガス発生材１５２が外部に出ないようにすることができる。
隔壁１５５の溝部１５６をガイドピン１３５によって突き破ったときに、水素ガス発生材収納部１５１に流れ込んだ反応液は、被膜１８２を通じて収納凹部１８１内に浸透する（図１８の矢印Ｙ１参照。）。そして、反応液が水素ガス発生材１５２と電気化学的に反応して水素ガスが発生し、発生した水素ガスは、被膜１８２を通過して水素ガス発生材収納部１５１内に流れるようになっている（図１８の矢印Ｙ２参照。）。
【０１３８】
カートリッジ１５０は、以上のような水素ガス発生材１５２が収納されたケース材１８０が、水素ガス発生材収納孔１５１ａ，１５１ｂに装填された状態で製品化されているものとする。
水素ガス発生材収納孔１５１ａ，１５１ｂは、図１６に示すように、ケース材１８０における本体部の形状に対応した断面形状とされている。すなわち、水素ガス発生材収納孔１５１ａ，１５１ｂは、断面視において、ケース材１８０における本体部の第二面１８０ｂと、第三面１８０ｃと、第四面１８０ｄのそれぞれに対応する各面を有する。そして、ケース材１８０は、水素ガス発生材収納孔１５１ａ，１５１ｂに対して、第一面１８０ａが挿入孔１５１ｄ側に向けられるようにして装填されている。
【０１３９】
本変形例においては、以上のように水素ガス発生材１５２がケース材１８０に封入されているので、水素ガス発生材１５２が、水素ガス発生材収納部１５１から漏れ出ることがない。そのため、水素ガス発生材収納部５１を構成する筒状外殻体の下端開口を閉塞する必要がなく、上記の実施形態における取付蓋５８は省略されている。
【０１４０】
ケース材１８０は、図１９に示すように、樹脂成型により複数個がいっぺんに製造される。すなわち、複数のケース材１８０は、枠状のランナー１８５に対してゲート１８６を介して繋がるように製造されている。
そして、収納凹部１８１内に水素ガス発生材１５２を収納した後、ランナー１８５に対応する面積の一枚の被膜１８２を複数のケース材１８０の第一面１８０ａに溶着する。その後、複数のケース材１８０を、ゲート１８６からいっぺんに切り離すことで、一個一個の水素ガス発生材１５２入りケース材１８０を製造している。
【０１４１】
本変形例における水素ガス吸引装置１００の使用方法は、上記の実施形態における水素ガス吸引装置１と同様である。
【０１４２】
本変形例によれば、上記の実施形態と同様の効果を発揮するのはもちろんのこと、ガイドピン１３５は、カートリッジ１５０を充填用差し孔１３３ａに差し込み、ガイドピン１３５に沿って最後まで押し込んだ際に、ガイドピン１３５の先端部１３５ａが、内部ケース１３３の端部（筒状蓋体部１２０側の端部）を越えて外側に突出しない長さに設定されているので、カートリッジ１５０を充填用差し孔１３３ａから取り出した際に、ガイドピン１３５の先端部１３５ａが、内部ケース１３３の端部を越えて外側に突出しない状態となり、安全性に優れる。
【０１４３】
さらに、カートリッジ１５０は、水素ガス発生材収納部１５１と反応液収納部１５３とが隔壁１５５によって分離された内部構造となっているため、これら収納部内に収納される水素ガス発生材１５２と反応液とを常時分離収納した状態で保持することができる。そして、これにより、保管時（携帯時）における安全性を確保することができる。
また、このカートリッジ１５０内の水素ガス発生材１５２と反応液とを使って、水素ガスを発生させる（吸引する）場合には、カートリッジ１５０の充填用差し孔１３３ａにカートリッジ１５０を差し込めば良い。
この操作は、カートリッジ１５０の挿入孔１５１ｄに水素ガス吸引具本体１１０（内部ケース１３３）にあるガイドピン１３５を差しこみ、このガイドピン１３５に沿ってカートリッジ１５０を押し込む操作で良い。
水素ガス発生材収納部１５１は、カートリッジ１５０の充填用差し孔１３３ａに差し込まれる形態をした筒状外殻体から構成されているため、カートリッジ１５０を押し込む操作で水素ガス発生材収納部１５１が水素ガス吸引具本体１１０（内部ケース１３３）内に納まる。
水素ガス発生材収納孔１５１ａ，１５１ｂの長さは、隔壁１５５までの長さであり、ガイドピンの長さは、水素ガス発生材収納孔の長さよりも長く設定され、水素ガス発生材収納部１５１の長さは、ガイドピン１３５の長さよりも長く設定されているので、カートリッジ１５０を水素ガス吸引具本体１１０（内部ケース１３３）の充填用差し孔１３３ａに最後まで押し込むと、ガイドピン１３５が水素ガス発生材収納孔１５１ａ，１５１ｂの長さＬ２´よりも長く形成されているために、隔壁１５５を貫通し、この隔壁１５５を破るため、反応液収納部１５３内の反応液が水素ガス発生材収納部１５１内に流れ込み、水素ガス発生材１５２と反応し、水素ガスを発生させることになる。しかも、カートリッジ１５０を水素ガス吸引装置１００から取り出した際に、ガイドピン１３５の先端部１３５ａが、筒状外殻体の端部を越えて外側に突出しない状態となり、安全性に優れる。
【０１４４】
さらに、収納凹部１８１における一面側の開口１８１ａが、反応液を収納凹部１８１内に浸透可能とするとともに収納凹部１８１内で発生した水素ガスを通過可能とする被膜１８２によって閉塞されるので、収納凹部１８１に収納された水素ガス発生材１５２が収納凹部１８１外に飛散することを防ぎつつ、水素ガスを確実に発生させることができる。
【０１４５】
〔変形例５〕
本変形例においては、図２０に示すように、水素ガス吸引装置１００の吸い口部本体１６０に、水素ガス吸引装置１００の使用者によって咥えられるノズル８０が装着されている。
ノズル８０は、シリコン製の筒状体であり、長さ方向に沿って貫通形成されている（後述する貫通孔）。そのため、使用者は、吸い口部本体１６０に装着された状態でノズル８０を咥え、吸い込み動作を行うことで水素ガスの吸引が可能となっている。
なお、本変形例においては、上記の変形例４で説明した水素ガス吸引装置１００に対してノズル８０が装着されるものとするが、上記の実施形態における水素ガス吸引装置１にノズル８０が装着されるものとしてもよい。
【０１４６】
ノズル８０は、吸い口部本体１６０に装着された場合に、吸い口部本体１６０が差し込まれる第一差込孔部８１と、第一差込孔部８１に差し込まれた吸い口部本体１６０よりも使用者の口元側に位置する第二差込孔部８２と、を有する。
第一差込孔部８１と第二差込孔部８２は連通しており、ノズル８０の長さ方向に沿う上記の貫通孔を構成している。
【０１４７】
第一差込孔部８１は、吸い口部本体１６０の形状に対応して形成されており、ノズル８０を吸い口部本体１６０に装着させた場合に、吸い口部本体１６０に対する密着性が高まるように設定されている。
より詳細に説明すると、吸い口部本体１６０は、使用者の口元側に向かうにつれて細くなるように形成されており、これに合わせて第一差込孔部８１も、使用者の口元側に向かうにつれて口径（内径）が細くなるように形成されている。
【０１４８】
第二差込孔部８２は、第一差込孔部８１よりも大径に設定されており、当該第二差込孔部８２における第一差込孔部８１側には、消臭フィルター８３が設けられている。すなわち、消臭フィルター８３は、吸い口部本体１６０よりも使用者の口元側に位置している。
本変形例における消臭フィルター８３は、活性炭フィルターとされており、水素ガス吸引装置１００の使用時に、たとえ臭いが発生した場合であっても、当該臭いを消臭フィルター８３によって消臭できる。
なお、消臭フィルター８３を構成する活性炭の空隙率は、本変形例においては７０％とされているが、これに限られるものではなく、５０％〜９０％の範囲で適宜変更可能とされている。すなわち、下限の５０％よりも低い空隙率であった場合は、空気抵抗が強く、水素ガスの十分な吸引量を確保しにくい。一方、上限の９０％よりも高い空隙率であった場合は、十分な消臭効果を発揮しにくい。消臭フィルター８３を構成する活性炭の空隙率を例えば７０％程度としておけば、十分な消臭効果を発揮するとともに、水素ガスの十分な吸引量を確保することができ、使用者にとっての満足度を高めることが可能となる。
また、消臭フィルター８３を構成する活性炭の体積は、本変形例においては０．４立方ミリメートルとされているが、これに限られるものではなく、上記の空隙率を確保できる範囲で適宜変更可能である。
【０１４９】
消臭フィルター８３は、第二差込孔部８２のうち、第一差込孔部８１側の半分程度の深さに設けられており、使用者の口元側は開放された状態となっている。より詳細に説明すると、第二差込孔部８２は、消臭フィルター８３が孔の奥まで差し込まれることで、消臭フィルター８３の表面を底部とした窪みを構成している。当該窪みは、図２１に示すように、着香フィルター８４が装着される被装着部８２ａとされており、着香フィルター８４を適宜装着させて使用してもよい。
着香フィルター８４は、香油（精油）又はフレーバーによって香り付けされた柱状のフィルターであり、例えば発泡樹脂押出成形体として製造されている。
香油又はフレーバーの匂い（香り）は、水素ガス吸引時に、水素ガスと共に使用者側に向かうようになっている。
香油又はフレーバーの種類は特に限定されるものではないが、いわゆる代替補完医療に用いられるものを採用することが好ましい。代替補完医療に用いられる香油やフレーバーとしては、例えばレモングラスの精油や、グレープフルーツなどの柑橘系のフレーバーを始め、様々なものが用いられている。
【０１５０】
本変形例によれば、ノズル８０が吸い口部本体６０（１６０）に装着された場合に、消臭フィルター８３が、吸い口部本体６０（１６０）よりも使用者の口元側に位置するので、水素ガス吸引装置１（１００）の使用時に臭いが発生した場合でも、当該臭いを消臭フィルター８３によって消臭できる。これにより、水素ガス吸引時における快適性の向上に貢献できる。
また、ノズル８０は、消臭フィルター８３よりも使用者の口元側に形成され、かつ、香油又はフレーバーによって香り付けされた着香フィルター８４が装着可能な被装着部８２ａを有するので、当該被装着部８２ａに着香フィルター８４を装着して水素ガスを吸引した場合に、使用者は、香油又はフレーバーの匂いを感じ取ることができる。これにより、水素ガス吸引時における快適性をより向上させることができる。
【符号の説明】
【０１５１】
１  水素ガス吸引装置
１０  水素ガス吸引具本体
２０  筒状蓋体部
２０ａ  環状溝
２１  天板
２２  段部
２２ａ  空気流入孔
２２ｂ  環状凸部
２２ｃ  内側底部
２３  上部空気路
２４  気密性パッキン材
３０  カートリッジ保持部
３１  筒状本体
３２  外部ケース
３２ａ  取付部
３２ｂ  環状保持部
３２ｃ  環状凸部
３２ｄ  連通孔
３３  内部ケース
３３ａ  充填用差し孔
３３ｂ  上端部
３３ｃ  環状凸部
３３ｄ  係合溝
３４  下部空気路
３５  ガイドピン
３５ａ  先端部
３６  逆止弁
３６ａ  基底部
３６ｂ  弁体閉じ部
３７  底板部
３７ａ  環状外壁
３７ｂ  差し込み孔
３７ｃ  突出部
３７ｄ  空気流通路
３７ｆ  空気流入孔
４０  キャップ部
４０ａ  差し込み孔
４０ｂ  保持孔
４０ｃ  上端面
４０ｄ  差し込み溝
４１  段部
４１ａ  第１の段部
４１ｂ  第２の段部
４１ｃ  環状溝
５０  カートリッジ
５１  水素発生材収納部
５１ａ  第１収納孔
５１ｂ  第２収納孔
５１ｃ  円弧状部
５１ｄ  挿入孔
５１ｅ  突部
５１ｆ  ガイド溝
５１ｇ  スリット
５１ｈ  水平面部
５１ｋ  取付部
５１ｍ  環状凸部
５１ｐ  収納溝
５２  水素ガス発生材
５３  反応液収納部
５３ａ  円弧状部
５３ｂ  水平面部
５３ｃ  天板
５３ｄ  取付部
５４  反応液
５５  隔壁
５６  溝
５６ａ、５６ｂ  主溝部
５６ｃ  副溝部
５６ｄ  中心部
５８  取付蓋
５８ａ  挿入孔
５８ｂ  吐出孔
６０  吸い口部本体
６１  筒状部
６１ａ  吸い口
６１ｂ  接続部
６２  基体部
６３  係合部
６３ａ  係合溝
７０  中空糸膜フィルター
７１  筒状部
７１ａ  上板
７１ｂ  通気孔
７１ｃ  取付孔
７２  蓋部
７２ａ  段部
７２ｂ  蓋部本体
７２ｃ  把持部
７２ｄ  ガス通孔
７３  中空糸膜
２４０  気密性パッキン材
３５０  ガイドピン
３５０ａ  突起
４００  キャップ部
４００ｂ  保持孔
４００ｅ  爪部
５１０  カートリッジ
５１０ｅ  突部
５６０  溝
Ａ  空気の流れ
Ｈ  水素ガスの流れ
Ｍ  混合ガスの流れ
Ｌ１〜Ｌ３  長さ
【図１】
2019042498.tif 000003
【図２】
2019042498.tif 000004
【図３】
2019042498.tif 000005
【図４】
2019042498.tif 000006
【図５】
2019042498.tif 000007
【図６】
2019042498.tif 000008
【図７】
2019042498.tif 000009
【図８】
2019042498.tif 000010
【図９】
2019042498.tif 000011
【図１０】
2019042498.tif 000012
【図１１】
2019042498.tif 000013
【図１２】
2019042498.tif 000014
【図１３】
2019042498.tif 000015
【図１４】
2019042498.tif 000016
【図１５】
2019042498.tif 000017
【図１６】
2019042498.tif 000018
【図１７】
2019042498.tif 000019
【図１８】
2019042498.tif 000020
【図１９】
2019042498.tif 000021
【図２０】
2019042498.tif 000022
【図２１】
2019042498.tif 000023